(57)【特許請求の範囲】
【請求項１】
上空の中継装置を介して、移動体へ提供すべき複数のコンテンツ情報が多重化された多重情報を地表へ送信する送信局と、
前記移動体に搭載され、前記多重情報を受信する情報受信装置と、
前記多重情報からコンテンツ情報を抽出するのに用いられる抽出情報を検索する検索局と、
を備え、
前記情報受信装置は、
前記多重情報を受信する受信手段と、
前記移動体の自位置を検出する自位置検出手段と、
前記自位置の情報を前記検索局へ送信し、前記検索局から送信された前記抽出情報を受信する送受信手段と、
前記抽出情報に基づいて、前記受信手段により受信された前記多重情報からコンテンツ情報を抽出する抽出手段と、
を備え、
前記検索局は、
前記送受信手段から送信された前記自位置の情報を受信する検索局側受信手段と、
前記抽出情報と前記移動体が存在し得る位置に関する位置情報との対応関係を示すテーブルを記憶する記憶手段と、
前記テーブルから、前記自位置の情報に対応する位置情報を検索した後、該位置情報に対応する抽出情報を検索する検索手段と、
前記抽出情報を前記送受信手段へ送信する検索局側送信手段と、
を備えることを特徴とする情報提供システム。
【請求項２】
上空の中継装置を介して、移動体へ提供すべき複数のコンテンツ情報が多重化された多重情報を地表へ送信する送信局と、
前記移動体に搭載され、前記多重情報を受信する情報受信装置と、
前記多重情報からコンテンツ情報を抽出するのに用いられる抽出情報を検索する検索局と、
を備え、
前記情報受信装置は、
前記多重情報を受信する受信手段と、
前記移動体の自位置を検出する自位置検出手段と、
前記自位置の情報を前記検索局へ送信し、前記検索局から送信された前記抽出情報を受信する送受信手段と、
前記抽出情報に基づいて、前記受信手段により受信された前記多重情報からコンテンツ情報を抽出する抽出手段と、
を備え、
前記検索局は、
前記送受信手段から送信された前記自位置の情報を受信する検索局側受信手段と、
前記抽出情報と前記移動体が存在し得るエリアに関するエリア情報との対応関係を示すテーブルを記憶する記憶手段と、
前記テーブルから、前記自位置の情報に対応するエリア情報を検索した後、該エリア情報に対応する抽出情報を検索する検索手段と、
前記抽出情報を前記送受信手段へ送信する検索局側送信手段と、
を備えることを特徴とする情報提供システム。
【請求項３】
上空の中継装置を介して、移動体へ提供すべき複数のコンテンツ情報が多重化された多重情報を地表へ送信する送信局と、前記多重情報からコンテンツ情報を抽出するのに用いられる抽出情報を検索する検索局とそれぞれ接続されるとともに、前記移動体に搭載され、前記多重情報を受信する情報受信装置であって、
前記多重情報を受信する受信手段と、
前記移動体の自位置を検出する自位置検出手段と、
前記自位置の情報を、前記抽出情報と前記移動体が存在し得る位置に関する位置情報もしくは前記移動体が存在し得るエリアに関するエリア情報との対応関係を示すテーブルから前記自位置の情報に対応する位置情報もしくはエリア情報を検索した後に該位置情報もしくはエリア情報に対応する抽出情報を検索する前記検索局へ送信し、前記検索局から送信された前記抽出情報を受信する送受信手段と、
前記抽出情報に基づいて、前記受信手段により受信された前記多重情報からコンテンツ情報を抽出する抽出手段と、
を備えることを特徴とする情報受信装置。
【請求項４】
上空の中継装置を介して、移動体へ提供すべき複数のコンテンツ情報が多重化された多重情報を地表へ送信する送信局と、前記移動体に搭載され、前記多重情報を受信する情報受信装置とそれぞれ接続され、前記多重情報からコンテンツ情報を抽出するのに用いられる抽出情報を検索する検索局であって、
前記移動体の自位置を検出する前記情報受信装置から送信された前記自位置の情報を受信する検索局側受信手段と、
前記抽出情報と前記移動体が存在し得る位置に関する位置情報との対応関係を示すテーブルを記憶する記憶手段と、
前記テーブルから、前記自位置の情報に対応する位置情報を検索した後、該位置情報に対応する抽出情報を検索する検索手段と、
前記抽出情報に基づいて前記多重情報からコンテンツ情報を抽出する前記情報受信装置へ、前記検索した抽出情報を送信する検索局側送信手段と、
を備えることを特徴とする検索局。
【請求項５】
上空の中継装置を介して、移動体へ提供すべき複数のコンテンツ情報が多重化された多重情報を地表へ送信する送信局と、前記移動体に搭載され、前記多重情報を受信する情報受信装置とそれぞれ接続され、前記多重情報からコンテンツ情報を抽出するのに用いられる抽出情報を検索する検索局であって、
前記移動体の自位置を検出する前記情報受信装置から送信された前記自位置の情報を受信する検索局側受信手段と、
前記抽出情報と前記移動体が存在し得るエリアに関するエリア情報との対応関係を示すテーブルを記憶する記憶手段と、
前記テーブルから、前記自位置の情報に対応するエリア情報を検索した後、該エリア情報に対応する抽出情報を検索する検索手段と、
前記抽出情報に基づいて前記多重情報からコンテンツ情報を抽出する前記情報受信装置へ、前記検索した抽出情報を送信する検索局側送信手段と、
を備えることを特徴とする検索局。
【請求項６】
移動体に搭載され、上空の中継装置を介して地表へ送信されかつ複数のコンテンツ情報が多重化された多重情報を受信する受信手段と、
前記移動体の自位置を検出する自位置検出手段と、
前記複数のコンテンツ情報を多重化する際にコンテンツ情報単位で用いられ、かつ、前記多重情報からコンテンツ情報を抽出するのに用いられるＰＮコード又はタイムスロットと前記移動体が存在し得る位置に関する位置情報との対応関係を示すテーブルを記憶する記憶手段と、
前記テーブルから、前記自位置に対応する位置情報を検索した後、該位置情報に対応するＰＮコード又はタイムスロットを検索する検索手段と、
前記検索手段により検索された前記ＰＮコード又はタイムスロットに基づいて、前記受信手段により受信された前記多重情報からコンテンツ情報を抽出する抽出手段と、
を備えることを特徴とする情報受信装置。
【請求項７】
移動体に搭載され、上空の中継装置を介して地表へ送信されかつ複数のコンテンツ情報が多重化された多重情報を受信する受信手段と、
前記移動体の自位置を検出する自位置検出手段と、
前記複数のコンテンツ情報を多重化する際にコンテンツ情報単位で用いられ、かつ、前記多重情報からコンテンツ情報を抽出するのに用いられるＰＮコード又はタイムスロットと前記移動体が存在し得るエリアに関するエリア情報との対応関係を示すテーブルを記憶する記憶手段と、
前記テーブルから、前記自位置に対応するエリア情報を検索した後、該エリア情報に対応するＰＮコード又はタイムスロットを検索する検索手段と、
前記検索手段により検索された前記ＰＮコード又はタイムスロットに基づいて、前記受信手段により受信された前記多重情報からコンテンツ情報を抽出する抽出手段と、
を備えることを特徴とする情報受信装置。
【請求項８】
移動体に搭載され、上空の中継装置を介して地表へ送信されかつ複数のコンテンツ情報が多重化された多重情報を受信する受信手段と、
前記移動体に関連する移動体関連情報を収集する収集手段と、
前記複数のコンテンツ情報を多重化する際にコンテンツ情報単位で用いられ、かつ、前記多重情報からコンテンツ情報を抽出するのに用いられるＰＮコード又はタイムスロットと前記移動体関連情報との対応関係を示すテーブルを記憶する記憶手段と、
前記収集手段により収集された前記移動体関連情報をキーとして、前記テーブルから、該移動体関連情報に対応するＰＮコード又はタイムスロットを検索する検索手段と、
前記検索手段により検索された前記ＰＮコード又はタイムスロットに基づいて、前記受信手段により受信された前記多重情報からコンテンツ情報を抽出する抽出手段と、
を備えることを特徴とする情報受信装置。
【請求項９】
前記移動体関連情報は、前記移動体の移動速度であることを特徴とする請求項８に記載の情報受信装置。
【請求項１０】
前記多重情報は、符号分割多重化方式または時分割多重化方式により多重化されていることを特徴とする請求項６〜９のいずれか一つに記載の情報受信装置。
【請求項１１】
前記多重情報は、符号分割多元接続方式または時分割多元接続方式により多重化されていることを特徴とする請求項６〜９のいずれか一つに記載の情報受信装置。
【発明の詳細な説明】
【０００１】
【発明の属する技術分野】
本発明は、車両等の移動体向けの情報を提供するための情報提供システムおよび情報受信装置に関するものである。
【０００２】
近時、ＩＴＳ（Intelligent Transport Systems）と呼ばれる高度道路交通システムが整備されつつある。ここでいう高度道路交通システムとは、情報通信や電子制御等の技術を駆使することで、交通事故、交通渋滞、環境汚染といった交通に起因する諸問題を解決するための交通システムをいう。
【０００３】
この高度道路交通システムの代表的なものとしては、ハイウェイラジオ、道路交通情報システムと呼ばれるＶＩＣＳ（Vehicle Information and Communication System）、自動料金収受システムと呼ばれるＥＴＣ（Electronic Toll Collection System）等が挙げられる。しかしながら、かかる高度道路交通システムを整備する際には、設備コストが高いという問題があった。
【０００４】
【従来の技術】
従来より、高度道路交通システムの一環として、車両等の移動体に対して、道路交通情報を放送するハイウェイラジオ、ＶＩＣＳが普及している。これらのハイウェイラジオは、たとえば、１６２０ｋＨｚの周波数を利用して、無線基地局から道路交通情報を放送するものである。
【０００５】
ＶＩＣＳは、電波ビーコン、光ビーコン、ＦＭ（Frequency Modulation）多重放送局等の無線基地局から道路交通情報を放送する。これらのハイウェイラジオ、ＶＩＣＳは、半径が数ｋｍ程度のマイクロセルを道路に沿って複数並べるというマイクロセル構成を採用している。したがって、ハイウェイラジオ、ＶＩＣＳでは、マイクロセル毎に無線基地局が必要であるため、数ｋｍ毎に多数の無線基地局が設置されている。
【０００６】
また、最近では、上述したハイウェイラジオやＶＩＣＳ以外にも、無線を介して移動体側から情報センタへ要求を出し、この要求に応じた情報を情報センタから移動体側へ提供するオンデマンド型の情報提供システムも導入されつつある。このようなオンデマンド型の情報提供システムでは、移動体に搭乗している利用者がディジタル携帯電話から情報センタにアクセスし、提供を受けたい情報をオペレータに伝えると、カーナビゲーションシステム等を経由して当該情報が提供される。
【０００７】
【発明が解決しようとする課題】
ところで、前述したように、従来のハイウェイラジオやＶＩＣＳにおいては、マイクロセル構成を採用しているため、数ｋｍ毎に多数の無線基地局を設置しなければならず、設置に要するコストが非常に高くつくという問題があった。
【０００８】
また、オンデマンド型の情報提供システムにおいては、情報提供を受ける毎に利用者がセンタ側にアクセスしなければならないため、使い勝手が悪く、情報提供サービスの質が低いという問題があった。
【０００９】
本発明は、上記に鑑みてなされたもので、コストを下げることができるとともに、情報提供サービスの質を向上させることができる情報提供システムおよび情報受信装置を提供することを目的とする。
【００１０】
【課題を解決するための手段】
上記目的を達成するために、請求項１にかかる発明は、上空の中継装置を介して、移動体へ提供すべき複数のコンテンツ情報が多重化された多重情報を地表へ送信する送信局（後述する実施の形態３の情報送信局２０A 〜２０C に相当）と、前記移動体に搭載され、前記多重情報を受信する情報受信装置（後述する実施の形態３の情報受信装置６０に相当）と、前記多重情報からコンテンツ情報を抽出するのに用いられる抽出情報を検索する検索局（後述する実施の形態３のセンタ５０に相当）とを備え、前記情報受信装置は、前記多重情報を受信する受信手段（後述する実施の形態３の情報受信部４５に相当）と、前記移動体の自位置を検出する自位置検出手段（後述する実施の形態３の自位置算出部４３に相当）と、前記自位置の情報を前記検索局へ送信し、前記検索局から送信された前記抽出情報を受信する送受信手段（後述する実施の形態３のセンタ用送受信部６２に相当）と、前記抽出情報に基づいて、前記受信手段により受信された前記多重情報からコンテンツ情報を抽出する抽出手段（後述する実施の形態３の情報受信部４５に相当）とを備え、前記検索局は、前記送受信手段から送信された前記自位置の情報を受信する検索局側受信手段（後述する実施の形態３の送受信装置５２に相当）と、前記抽出情報と前記移動体が存在し得る位置に関する位置情報との対応関係を示すテーブルを記憶する記憶手段（後述する実施の形態３の記憶装置５４に相当）と、前記テーブルから、前記自位置の情報に対応する位置情報を検索した後、該位置情報に対応する抽出情報を検索する検索手段（後述する実施の形態３の制御装置５３に相当）と、前記抽出情報を前記送受信手段へ送信する検索局側送信手段（後述する実施の形態３の送受信装置５２に相当）とを備えることを特徴とする。
【００１１】
この請求項１にかかる発明によれば、中継装置を介して地表へ向けて多重情報が送信されると、この多重情報は、移動体に搭載された情報受信装置の受信手段に受信される。また、情報受信装置の自位置検出手段により移動体の自位置が検出されると、送受信手段により上記自位置の情報が検索局へ送信される。そして、検索局の検索局側受信手段により自位置の情報が受信されると、検索手段は、テーブルから上記自位置に関する位置情報を検索した後、位置情報に対応する抽出情報を検索する。
【００１２】
これにより、検索局側送信手段は、上記抽出情報を情報受信装置の送受信手段へ送信する。そして、上記抽出情報が送受信手段により受信されると、抽出手段は、受信手段により受信された多重情報からコンテンツ情報を抽出する。このとき抽出されたコンテンツ情報は、移動体の自位置に関する位置情報に対応付けられた情報である。
【００１３】
そして、移動体がさらに移動し、自位置検出手段により検出される自位置が変化すると、検索手段により検索される位置情報および抽出情報も変化する。したがって、この場合には、抽出手段により抽出されるコンテンツ情報も変化する。すなわち、抽出されるコンテンツ情報は、移動体の自位置の変化に対応して自動的に変化するのである。
【００１４】
このように、請求項１にかかる発明によれば、移動体の自位置の情報に対応する位置情報および抽出情報に関する検索機能を一つの検索局に持たせ、テーブルを一つの記憶手段に記憶させるようにしたので、該テーブルのメンテナンスを楽に行うことができる。
【００１５】
また、請求項２にかかる発明は、上空の中継装置を介して、移動体へ提供すべき複数のコンテンツ情報が多重化された多重情報を地表へ送信する送信局（後述する実施の形態３の情報送信局２０A 〜２０C に相当）と、前記移動体に搭載され、前記多重情報を受信する情報受信装置（後述する実施の形態３の情報受信装置６０に相当）と、前記多重情報からコンテンツ情報を抽出するのに用いられる抽出情報を検索する検索局（後述する実施の形態３のセンタ５０に相当）とを備え、前記情報受信装置は、前記多重情報を受信する受信手段（後述する実施の形態３の情報受信部４５に相当）と、前記移動体の自位置を検出する自位置検出手段（後述する実施の形態３の自位置算出部４３に相当）と、前記自位置の情報を前記検索局へ送信し、前記検索局から送信された前記抽出情報を受信する送受信手段（後述する実施の形態３のセンタ用送受信部６２に相当）と、前記抽出情報に基づいて、前記受信手段により受信された前記多重情報からコンテンツ情報を抽出する抽出手段（後述する実施の形態３の情報受信部４５に相当）とを備え、前記検索局は、前記送受信手段から送信された前記自位置の情報を受信する検索局側受信手段（後述する実施の形態３の送受信装置５２に相当）と、前記抽出情報と前記移動体が存在し得るエリアに関するエリア情報との対応関係を示すテーブルを記憶する記憶手段（後述する実施の形態３の記憶装置５４に相当）と、前記テーブルから、前記自位置の情報に対応するエリア情報を検索した後、該エリア情報に対応する抽出情報を検索する検索手段（後述する実施の形態３の制御装置５３に相当）と、前記抽出情報を前記送受信手段へ送信する検索局側送信手段（後述する実施の形態３の送受信装置５２に相当）とを備えることを特徴とする。
【００１６】
この請求項２にかかる発明によれば、中継装置を介して地表へ向けて多重情報が送信されると、この多重情報は、移動体に搭載された情報受信装置の受信手段に受信される。また、情報受信装置の自位置検出手段により移動体の自位置が検出されると、送受信手段により上記自位置の情報が検索局へ送信される。そして、検索局の検索局側受信手段により自位置の情報が受信されると、検索手段は、テーブルから上記自位置に関するエリア情報を検索した後、エリア情報に対応する抽出情報を検索する。
【００１７】
これにより、検索局側送信手段は、上記抽出情報を情報受信装置の送受信手段へ送信する。そして、上記抽出情報が送受信手段により受信されると、抽出手段は、受信手段により受信された多重情報からコンテンツ情報を抽出する。このとき抽出されたコンテンツ情報は、移動体の自位置に関するエリア情報に対応付けられた情報である。
【００１８】
そして、移動体がさらに移動し、自位置検出手段により検出される自位置が変化すると、検索手段により検索されるエリア情報および抽出情報も変化する。したがって、この場合には、抽出手段により抽出されるコンテンツ情報も変化する。すなわち、抽出されるコンテンツ情報は、移動体の自位置の変化に対応して自動的に変化するのである。
【００１９】
このように、請求項２にかかる発明によれば、移動体の自位置の情報に対応するエリア情報および抽出情報に関する検索機能を一つの検索局に持たせ、テーブルを一つの記憶手段に記憶させるようにしたので、該テーブルのメンテナンスを楽に行うことができる。
【００２０】
また、請求項３に記載の発明は、上空の中継装置を介して、移動体へ提供すべき複数のコンテンツ情報が多重化された多重情報を地表へ送信する送信局（後述する実施の形態３の情報送信局２０A 〜２０C に相当）と、前記多重情報からコンテンツ情報を抽出するのに用いられる抽出情報を検索する検索局（後述する実施の形態３のセンタ５０に相当）とそれぞれ接続されるとともに、前記移動体に搭載され、前記多重情報を受信する情報受信装置であって、前記多重情報を受信する受信手段（後述する実施の形態３の情報受信部４５に相当）と、前記移動体の自位置を検出する自位置検出手段（後述する実施の形態３の自位置算出部４３に相当）と、前記自位置の情報を、前記抽出情報と前記移動体が存在し得る位置に関する位置情報もしくは前記移動体が存在し得るエリアに関するエリア情報との対応関係を示すテーブルから前記自位置の情報に対応する位置情報もしくはエリア情報を検索した後に該位置情報もしくはエリア情報に対応する抽出情報を検索する前記検索局へ送信し、前記検索局から送信された前記抽出情報を受信する送受信手段と、前記抽出情報に基づいて、前記受信手段により受信された前記多重情報からコンテンツ情報を抽出する抽出手段（後述する実施の形態３の情報受信部４５に相当）とを備えることを特徴とする。
【００２１】
この請求項３にかかる発明によれば、中継装置を介して地表へ向けて多重情報が送信されると、この多重情報は、移動体に搭載された情報受信装置の受信手段に受信される。また、情報受信装置の自位置検出手段により移動体の自位置が検出されると、送受信手段により上記自位置の情報が検索局へ送信される。そして、送受信手段により検索局から送信された自位置の位置情報もしくはエリア情報に対応する抽出情報が受信されると、抽出手段は、検索局から受信した抽出情報に基づいて、受信手段により受信された多重情報からコンテンツ情報を抽出する。このとき抽出されたコンテンツ情報は、移動体の自位置に関するエリア情報に対応付けられた情報である。そして、移動体がさらに移動し、自位置検出手段により検出される自位置が変化すると、エリア情報および抽出情報も変化する。したがって、この場合には、抽出手段により抽出されるコンテンツ情報も変化する。すなわち、抽出されるコンテンツ情報は、移動体の自位置の変化に対応して自動的に変化するのである。
【００２２】
このように、請求項３にかかる発明によれば、情報受信装置は、検索局から移動体の自位置の情報に対応するエリア情報および抽出情報に関する情報を取得することができる。また、テーブルを検索局側の一つの記憶手段に記憶させるようにしたので、該テーブルのメンテナンスを楽に行うことができる。
【００２３】
また、請求項４に記載の発明は、上空の中継装置を介して、移動体へ提供すべき複数のコンテンツ情報が多重化された多重情報を地表へ送信する送信局（後述する実施の形態３の情報送信局２０A 〜２０C に相当）と、前記移動体に搭載され、前記多重情報を受信する情報受信装置とそれぞれ接続され、前記多重情報からコンテンツ情報を抽出するのに用いられる抽出情報を検索する検索局（後述する実施の形態３のセンタ５０に相当）であって、前記移動体の自位置を検出する前記情報受信装置から送信された前記自位置の情報を受信する検索局側受信手段と、前記抽出情報と前記移動体が存在し得る位置に関する位置情報との対応関係を示すテーブルを記憶する記憶手段（後述する実施の形態３の記憶装置５４に相当）と、前記テーブルから、前記自位置の情報に対応する位置情報を検索した後、該位置情報に対応する抽出情報を検索する検索手段（後述する実施の形態３の制御装置５３に相当）と、前記抽出情報に基づいて前記多重情報からコンテンツ情報を抽出する前記情報受信装置へ、前記検索した抽出情報を送信する検索局側送信手段（後述する実施の形態３の送受信装置５２に相当）と、を備えることを特徴とする。
【００２４】
この請求項４にかかる発明によれば、検索局は、上空の中継装置を介して、移動体へ提供すべき複数のコンテンツ情報が多重化された多重情報を地表へ送信する送信局と、移動体に搭載され、多重情報を受信する情報受信装置とそれぞれ接続され、、移動体の自位置を検出する情報受信装置から送信された自位置の情報を受信する検索局側受信手段と、抽出情報と移動体が存在し得る位置に関する位置情報との対応関係を示すテーブルを記憶する記憶手段と、テーブルから、自位置の情報に対応する位置情報を検索した後、該位置情報に対応する抽出情報を検索する検索手段と、抽出情報に基づいて前記多重情報からコンテンツ情報を抽出する前記情報受信装置へ、検索した抽出情報を送信する検索局側送信手段とを備え、多重情報からコンテンツ情報を抽出するのに用いられる抽出情報を検索する。
【００２５】
このように、請求項４にかかる発明によれば、検索局は、移動体の自位置を検出する情報受信装置から送信された自位置の情報を受信し、テーブルから、自位置の情報に対応する位置情報を検索した後、該位置情報に対応する抽出情報を検索し、この検索により移動体の情報受信装置に、コンテンツ情報を抽出するのに用いられる抽出情報を送信することができる。
【００２６】
また、請求項５に記載の発明は、上空の中継装置を介して、移動体へ提供すべき複数のコンテンツ情報が多重化された多重情報を地表へ送信する送信局（後述する実施の形態３の情報送信局２０A 〜２０C に相当）と、前記移動体に搭載され、前記多重情報を受信する情報受信装置とそれぞれ接続され、前記多重情報からコンテンツ情報を抽出するのに用いられる抽出情報を検索する検索局（後述する実施の形態３のセンタ５０に相当）であって、前記移動体の自位置を検出する前記情報受信装置から送信された前記自位置の情報を受信する検索局側受信手段と、前記抽出情報と前記移動体が存在し得るエリアに関するエリア情報との対応関係を示すテーブルを記憶する記憶手段（後述する実施の形態３の記憶装置５４に相当）と、前記テーブルから、前記自位置の情報に対応するエリア情報を検索した後、該エリア情報に対応する抽出情報を検索する検索手段（後述する実施の形態３の制御装置５３に相当）と、前記抽出情報に基づいて前記多重情報からコンテンツ情報を抽出する前記情報受信装置へ、前記検索した抽出情報を送信する検索局側送信手段（後述する実施の形態３の送受信装置５２に相当）と、を備えることを特徴とする。
【００２７】
この請求項５にかかる発明によれば、検索局は、上空の中継装置を介して、移動体へ提供すべき複数のコンテンツ情報が多重化された多重情報を地表へ送信する送信局と、移動体に搭載され、多重情報を受信する情報受信装置とそれぞれ接続され、移動体の自位置を検出する情報受信装置から送信された自位置の情報を受信する検索局側受信手段と、抽出情報と移動体が存在し得るエリアに関するエリア情報との対応関係を示すテーブルを記憶する記憶手段と、テーブルから、自位置の情報に対応するエリア情報を検索した後、該エリア情報に対応する抽出情報を検索する検索手段と、抽出情報に基づいて前記多重情報からコンテンツ情報を抽出する前記情報受信装置へ、検索した抽出情報を送信する検索局側送信手段とを備え、多重情報からコンテンツ情報を抽出するのに用いられる抽出情報を検索する。
【００２８】
この請求項５にかかる発明によれば、検索局は、移動体の自位置を検出する情報受信装置から送信された自位置の情報を受信し、テーブルから、自位置の情報に対応するエリア情報を検索した後、該エリア情報に対応する抽出情報を検索し、この検索により移動体の情報受信装置にコンテンツ情報を抽出するのに用いられる抽出情報を送信することができる。
【００２９】
また、請求項６にかかる発明は、移動体に搭載され、上空の中継装置を介して地表へ送信されかつ複数のコンテンツ情報が多重化された多重情報を受信する受信手段（後述する実施の形態１の情報受信部４５に相当）と、前記移動体の自位置を検出する自位置検出手段（後述する実施の形態１の自位置算出部４３に相当）と、前記複数のコンテンツ情報を多重化する際にコンテンツ情報単位で用いられ、かつ、前記多重情報からコンテンツ情報を抽出するのに用いられるＰＮコード又はタイムスロットと前記移動体が存在し得る位置に関する位置情報との対応関係を示すテーブルを記憶する記憶手段（後述する実施の形態１の記憶部４７に相当）と、前記テーブルから、前記自位置に対応する位置情報を検索した後、該位置情報に対応するＰＮコード又はタイムスロットを検索する検索手段（後述する実施の形態１のＰＮコード設定部４６に相当）と、前記検索手段により検索された前記ＰＮコード又はタイムスロットに基づいて、前記受信手段により受信された前記多重情報からコンテンツ情報を抽出する抽出手段（後述する実施の形態１の情報受信部４５に相当）とを備えることを特徴とする。
【００３０】
この請求項６にかかる発明によれば、中継装置を介して地表へ向けて多重情報が送信されると、この多重情報は、移動体に搭載された受信手段に受信される。また、自位置検出手段により移動体の自位置が検出されると、検索手段は、テーブルから上記自位置に関する位置情報を検索した後、位置情報に対応するＰＮコード又はタイムスロットを検索する。これにより、抽出手段は、受信手段により受信された多重情報からコンテンツ情報を抽出する。このとき抽出されたコンテンツ情報は、移動体の自位置に関する位置情報に対応付けられた情報である。
【００３１】
そして、移動体がさらに移動し、自位置検出手段により検出される自位置が変化すると、検索手段により検索される位置情報およびＰＮコード又はタイムスロットも変化する。したがって、この場合には、抽出手段により抽出されるコンテンツ情報も変化する。すなわち、抽出されるコンテンツ情報は、移動体の自位置の変化に対応して自動的に変化するのである。
【００３２】
このように、請求項６にかかる発明によれば、上空の中継装置から多重情報を地表に向けて送信することで、従来のハイウェイラジオ等に比して、極めて広い範囲に亘って情報提供を行うことができ、原理上、多重情報（コンテンツ情報）を送信する送信局の設置数が最低１局で足りるため、コストを下げることができる。
【００３３】
また、請求項６にかかる発明によれば、ＰＮコード又はタイムスロットと移動体の存在し得る位置情報とをあらかじめテーブルにより対応付けるとともに、間接的に、移動体の自位置とコンテンツ情報とを対応付けて、移動体の移動に伴って、抽出されるコンテンツ情報を自動的に変化させるようにしたので、従来のオンデマンド型の情報提供システムに比して、利用者の使い勝手が格段に良くなるため、情報提供サービスの質を向上させることができる。
【００３４】
また、請求項７にかかる発明は、移動体に搭載され、上空の中継装置を介して地表へ送信されかつ複数のコンテンツ情報が多重化された多重情報を受信する受信手段（後述する実施の形態１の情報受信部４５に相当）と、前記移動体の自位置を検出する自位置検出手段（後述する実施の形態１の自位置算出部４３に相当）と、前記複数のコンテンツ情報を多重化する際にコンテンツ情報単位で用いられ、かつ、前記多重情報からコンテンツ情報を抽出するのに用いられるＰＮコード又はタイムスロットと前記移動体が存在し得るエリアに関するエリア情報との対応関係を示すテーブルを記憶する記憶手段（後述する実施の形態１の記憶部４７に相当）と、前記テーブルから、前記自位置に対応するエリア情報を検索した後、該エリア情報に対応するＰＮコード又はタイムスロットを検索する検索手段（後述する実施の形態１のＰＮコード設定部４６に相当）と、前記検索手段により検索された前記ＰＮコード又はタイムスロットに基づいて、前記受信手段により受信された前記多重情報からコンテンツ情報を抽出する抽出手段（後述する実施の形態１の情報受信部４５に相当）とを備えることを特徴とする。
【００３５】
この請求項７にかかる発明によれば、中継装置を介して地表へ向けて多重情報が送信されると、この多重情報は、移動体に搭載された受信手段に受信される。また、自位置検出手段により移動体の自位置が検出されると、検索手段は、テーブルから上記自位置に関するエリア情報を検索した後、エリア情報に対応するＰＮコード又はタイムスロットを検索する。これにより、抽出手段は、受信手段により受信された多重情報からコンテンツ情報を抽出する。このとき抽出されたコンテンツ情報は、移動体の自位置に関するエリア情報に対応付けられた情報である。
【００３６】
そして、移動体がさらに移動し、自位置検出手段により検出される自位置が変化すると、検索手段により検索されるエリア情報およびＰＮコード又はタイムスロットも変化する。したがって、この場合には、抽出手段により抽出されるコンテンツ情報も変化する。すなわち、抽出されるコンテンツ情報は、移動体の自位置の変化に対応して自動的に変化するのである。
【００３７】
このように、請求項７にかかる発明によれば、上空の中継装置から多重情報を地表に向けて送信することで、従来のハイウェイラジオ等に比して、極めて広い範囲に亘って情報提供を行うことができ、原理上、多重情報（コンテンツ情報）を送信する送信局の設置数が最低１局で足りるため、コストを下げることができる。
【００３８】
また、請求項７にかかる発明によれば、ＰＮコード又はタイムスロットと移動体の存在し得るエリア情報とをあらかじめテーブルにより対応付けるとともに、間接的に、移動体の自位置とコンテンツ情報とを対応付けて、移動体の移動に伴って、抽出されるコンテンツ情報を自動的に変化させるようにしたので、従来のオンデマンド型の情報提供システムに比して、利用者の使い勝手が格段に良くなるため、情報提供サービスの質を向上させることができる。
【００３９】
また、請求項８にかかる発明は、移動体に搭載され、上空の中継装置を介して地表へ送信されかつ複数のコンテンツ情報が多重化された多重情報を受信する受信手段（後述する実施の形態５の情報受信部８２に相当）と、前記移動体に関連する移動体関連情報を収集する収集手段（後述する実施の形態５の速度検出部９１に相当）と、前記複数のコンテンツ情報を多重化する際にコンテンツ情報単位で用いられ、かつ、前記多重情報からコンテンツ情報を抽出するのに用いられるＰＮコード又はタイムスロットと前記移動体関連情報との対応関係を示すテーブルを記憶する記憶手段（後述する実施の形態５の記憶部９３に相当）と、前記収集手段により収集された前記移動体関連情報をキーとして、前記テーブルから、該移動体関連情報に対応するＰＮコード又はタイムスロットを検索する検索手段（後述する実施の形態５のタイムスロット設定部９４に相当）と、前記検索手段により検索された前記ＰＮコード又はタイムスロットに基づいて、前記受信手段により受信された前記多重情報からコンテンツ情報を抽出する抽出手段（後述する実施の形態５の情報受信部８２に相当）とを備えることを特徴とする。
【００４０】
この請求項８にかかる発明によれば、中継装置を介して地表へ向けて多重情報が送信されると、この多重情報は、移動体に搭載された受信手段に受信される。また、収集手段により移動体の移動体関連情報が収集されると、検索手段は、テーブルから上記移動体関連情報に対応するＰＮコード又はタイムスロットを検索する。これにより、抽出手段は、受信手段により受信された多重情報からコンテンツ情報を抽出する。このとき抽出されたコンテンツ情報は、移動体の移動体関連情報に対応付けられた情報である。
【００４１】
そして、移動体がさらに移動し、収集手段により収集される移動体関連情報が変化すると、検索手段により検索されるＰＮコード又はタイムスロットも変化する。したがって、この場合には、抽出手段により抽出されるコンテンツ情報も変化する。すなわち、抽出されるコンテンツ情報は、移動体の移動体関連情報の変化に対応して自動的に変化するのである。
【００４２】
このように、請求項８にかかる発明によれば、上空の中継装置から多重情報を地表に向けて送信することで、従来のハイウェイラジオ等に比して、極めて広い範囲に亘って情報提供を行うことができ、原理上、多重情報（コンテンツ情報）を送信する送信局の設置数が最低１局で足りるため、コストを下げることができる。
【００４３】
また、請求項８にかかる発明によれば、移動体関連情報とＰＮコード又はタイムスロットとをあらかじめテーブルにより対応付けて、移動体関連情報の変化に伴って、抽出されるコンテンツ情報を自動的に変化させるようにしたので、従来のオンデマンド型の情報提供システムに比して、利用者の使い勝手が格段に良くなるため、情報提供サービスの質を向上させることができる。
【００４４】
また、請求項９にかかる発明は、請求項８に記載の情報受信装置において、前記移動体関連情報は、前記移動体の移動速度であることを特徴とする。
【００４５】
この請求項９にかかる発明によれば、中継装置を介して地表へ向けて多重情報が送信されると、この多重情報は、移動体に搭載された受信手段に受信される。また、収集手段により移動体関連情報として移動体の移動速度が収集されると、検索手段は、テーブルから上記移動速度に対応する抽出情報を検索する。これにより、抽出手段は、受信手段により受信された多重情報からコンテンツ情報を抽出する。このとき抽出されたコンテンツ情報は、移動体の移動速度に対応付けられた情報である。
【００４６】
そして、移動体がさらに移動し、収集手段により収集される移動速度が変化すると、検索手段により検索される抽出情報も変化する。したがって、この場合には、抽出手段により抽出されるコンテンツ情報も変化する。すなわち、抽出されるコンテンツ情報は、移動体の移動速度の変化に対応して自動的に変化するのである。
【００４７】
このように、請求項９にかかる発明によれば、上空の中継装置から多重情報を地表に向けて送信することで、従来のハイウェイラジオ等に比して、極めて広い範囲に亘って情報提供を行うことができ、原理上、多重情報（コンテンツ情報）を送信する送信局の設置数が最低１局で足りるため、コストを下げることができる。
【００４８】
また、請求項９にかかる発明によれば、移動速度と抽出情報とをあらかじめテーブルにより対応付けて、移動速度の変化に伴って、抽出されるコンテンツ情報を自動的に変化させるようにしたので、従来のオンデマンド型の情報提供システムに比して、利用者の使い勝手が格段に良くなるため、情報提供サービスの質を向上させることができる。
【００４９】
また、請求項１０にかかる発明は、請求項６〜９のいずれか一つに記載の情報受信装置において、前記多重情報は、符号分割多重化方式または時分割多重化方式により多重化されていることを特徴とする。
【００５０】
この請求項１０にかかる発明によれば、複数のコンテンツ情報を多重化する方式として符号分割多重化方式または時分割多重化方式を採用しているため、符号分割多重化方式または時分割多重化方式の多重原理上、送信局の設置数が１局のみで足りるため、マイクロセル方式を採用していた従来のハイウェイラジオ、ＶＩＣＳ等に比して、飛躍的にコストを下げることができる。
【００５１】
また、請求項１１にかかる発明は、請求項６〜９のいずれか一つに記載の情報受信装置において、前記多重情報は、符号分割多元接続方式または時分割多元接続方式により多重化されていることを特徴とする。
【００５２】
この請求項１１にかかる発明によれば、複数のコンテンツ情報を多重化する方式として符号分割多元接続方式または時分割多元接続方式を採用しているため、符号分割多元接続方式または時分割多元接続方式の多重原理上、送信局の設置数がコンテンツ情報の数に対応する局数で足りるため、マイクロセル方式を採用していた従来のハイウェイラジオ、ＶＩＣＳ等に比して、コストを下げることができる。
【００５４】
【発明の実施の形態】
以下、図面を参照して本発明にかかる情報提供システムおよび情報受信装置の実施の形態１〜７について詳細に説明する。
【００５５】
（実施の形態１）
図１は、本発明にかかる実施の形態１の構成を示す図である。この図において、移動体１０A は、図２に示した移動経路Ｒ（たとえば、道路）上を同図地点Ａへ向けて走行する車両である。この移動経路Ｒ上には、図１に示したように左側から地点Ａ、地点Ｂおよび地点Ｃが存在している。図２には、移動経路Ｒ、地点Ａおよび地点Ｂを二次元的に表す地図Ｍが図示されている。
【００５６】
図１に戻り、移動体１０B は、地点Ａ〜地点Ｂまでの間の区間に位置しており、地点Ｂへ向けて走行する車両である。これらの移動体１０A および移動体１０B のそれぞれには、情報提供者側から提供される情報を受信する情報受信装置４０（図３参照）が搭載されている。この情報受信装置４０の詳細な構成については後述する。
【００５７】
情報送信局２０は、情報提供者から提供される地点Ａ向け情報ＩA 、地点Ｂ向け情報ＩB および地点Ｃ向け情報ＩC を符号分割多重化（ＣＤＭ：Code Division Multiplex）方式を用いて多重化し、これを符号分割多重化情報ＩCDM として移動体向けに送信する放送局である。
【００５８】
この情報送信局２０には、符号分割多重化装置２１、送信装置２２およびパラボラアンテナ２３が設置されている。符号分割多重化装置２１は、地点Ａ向け情報ＩA 、地点Ｂ向け情報ＩB および地点Ｃ向け情報ＩC を、これらにそれぞれ対応するＰＮ（PseudoNoise：疑似雑音）コードＣA 、ＰＮコードＣB およびＰＮコードＣC を用いて符号分割多重化する装置である。
【００５９】
これらの地点Ａ向け情報ＩA 、地点Ｂ向け情報ＩB および地点Ｃ向け情報ＩC は、それぞれ異種の情報であり、ＰＮコードＣA 、ＰＮコードＣB およびＰＮコードＣC にそれぞれ対応している。すなわち、地点Ａ向け情報ＩA は、移動経路Ｒ上の地点Ａ（または地点Ａを含むエリア）に位置する移動体向けの情報であり、地点Ａの天気情報、地点Ａの交通情報、地点Ａを含むエリアに特化したニュース情報等である。
【００６０】
地点Ｂ向け情報ＩB は、移動経路Ｒ上の地点Ｂ（または地点Ｂを含むエリア）に位置する移動体向けの情報であり、地点Ｂの天気情報、地点Ｂの交通情報、地点Ｂを含むエリアに特化したニュース情報等である。地点Ｃ向け情報ＩC は、移動経路Ｒ上の地点Ｃ（または地点Ｃを含むエリア）に位置する移動体向けの情報であり、地点Ｃの天気情報、地点Ｂの交通情報、地点Ｃを含むエリアに特化したニュース情報等である。
【００６１】
ＰＮコードＣA 、ＰＮコードＣB およびＰＮコードＣC は、地点Ａ向け情報ＩA 、地点Ｂ向け情報ＩB および地点Ｃ向け情報ＩC の帯域に比して、広帯域を有している。また、ＰＮコードＣA 、ＰＮコードＣB およびＰＮコードＣC のそれぞれは、対応する地点Ａ向け情報ＩA 、地点Ｂ向け情報ＩB および地点Ｃ向け情報ＩC のそれぞれと乗算され、地点Ａ向け情報ＩA 、地点Ｂ向け情報ＩB および地点Ｃ向け情報ＩC をスペクトラム拡散させるための拡散コードである。
【００６２】
また、符号分割多重化装置２１は、狭帯域の地点Ａ向け情報ＩA と広帯域のＰＮコードＣA とを乗算した結果と、狭帯域の地点Ｂ向け情報ＩB と広帯域のＰＮコードＣB とを乗算した結果と、狭帯域の地点Ｃ向け情報ＩC と広帯域のＰＮコードＣC とを乗算した結果とを合算した結果を符号分割多重化情報ＩCDM として送信装置２２へ出力する。
【００６３】
送信装置２２は、パラボラアンテナ２３を介して符号分割多重化情報ＩCDM を通信衛星３０へ向けて送信する。この通信衛星３０は、中継装置として機能しており、パラボラアンテナ２３から送信された符号分割多重化情報ＩCDM を受信した後、地点Ａ、地点Ｂおよび地点Ｃを少なくとも含む地表へ向けて符号分割多重化情報ＩCDM を送信する。
【００６４】
図３に示した情報受信装置４０は、移動体（たとえば、移動体１０A および移動体１０B ）に搭載されており、当該移動体の自位置をＧＰＳ（Global Positioning System）を利用して測定する測位機能と、通信衛星３０からの符号分割多重化情報ＩCDM を受信する受信機能と、上記自位置に基づいて、符号分割多重化情報ＩCDM から当該移動体が位置する地点に対応する情報を抽出する情報抽出機能と、抽出された情報を表示する表示機能とを備えている。
【００６５】
この情報受信装置４０において、ＧＰＳ受信部４２は、高度約２００００ｋｍの円軌道を飛行する２４個のＧＰＳ衛星（図示略）のうち最低４個のＧＰＳ衛星からの電波をアンテナ４１を介して受信する。自位置算出部４３は、ＧＰＳ受信部４２の受信結果に基づいて、移動体の三次元座標（緯度、経度、高さ）と装置内の時計誤差という都合４つの未知数（緯度、経度、高さ、時計誤差）を求める。また、自位置算出部４３は、求めた４つの未知数（緯度、経度、高さ、時計誤差）のうち緯度および経度を自位置情報として出力する。
【００６６】
ＰＮコード設定部４６は、自位置算出部４３からの自位置情報に対応するＰＮコード（たとえば、図１に示したＰＮコードＣA 、ＰＮコードＣB またはＰＮコードＣC ）を情報受信部４５に設定する。このＰＮコードは、符号分割多重化情報ＩCDM との相関をとることにより、符号分割多重化情報ＩCDM から地点Ａ向け情報ＩA 、地点Ｂ向け情報ＩB または地点Ｃ向け情報ＩC を抽出するためのコードである。
【００６７】
具体的には、ＰＮコード設定部４６は、自位置算出部４３からの自位置情報をキーとして、記憶部４７に記憶されている位置／ＰＮコードテーブルＴ1（図４（ａ）参照）から当該自位置に最も近い位置に対応するＰＮコードを検索し、このＰＮコードを情報受信部４５に設定する。図４（ａ）に示した位置／ＰＮコードテーブルＴ1 は、位置とＰＮコードとの対応関係を定義するテーブルである。
【００６８】
同図に示した例では、地点Ａ位置ＰA は、地点Ａ（図１および図２参照）の位置（北緯３５度、東経１３５度）である。この地点Ａ位置ＰA に対応するＰＮコードＣA は、符号分割多重化情報ＩCDM から地点Ａ向け情報ＩA （図１参照）を抽出する場合に情報受信部４５に設定されるＰＮコード（＝１１００００１１）である。
【００６９】
地点Ｂ位置ＰB は、地点Ｂ（図１および図２参照）の位置（北緯３５度、東経１３６度）である。この地点Ｂ位置ＰB に対応するＰＮコードＣB は、符号分割多重化情報ＩCDM から地点Ｂ向け情報ＩB を抽出する場合に情報受信部４５に設定されるＰＮコード（＝１１００１１００）である。また、地点Ｃ位置ＰC は、地点Ｃ（図１参照）の位置（北緯３５度、東経１３７度）である。この地点Ｃ位置ＰC に対応するＰＮコードＣC は、符号分割多重化情報ＩCDM から地点Ｃ向け情報ＩC を抽出する場合に情報受信部４５に設定されるＰＮコード（＝１００１１００１）である。
【００７０】
情報受信部４５は、通信衛星３０（図１参照）に中継された符号分割多重化情報ＩCDM をアンテナ４４を介して受信する。また、情報受信部４５は、受信した符号分割多重化情報ＩCDM とＰＮコード設定部４６により設定されたＰＮコードとの相関をとることにより、符号分割多重化情報ＩCDM からＰＮコード（ＰＮコードＣA 、ＰＮコードＣB またはＰＮコードＣC ）に対応する情報（地点Ａ向け情報ＩA 、地点Ｂ向け情報ＩB または地点Ｃ向け情報ＩC ）を抽出する。情報表示部４８は、ＬＣＤ（Liquid Crystal Display）やＣＲＴ（Cathode-Ray Tube）であり、情報受信部４５により抽出された情報を表示する。
【００７１】
つぎに、実施の形態１の動作例１について図５に示したフローチャートを参照しつつ説明する。図１に示した地点Ａ向け情報ＩA 、地点Ｂ向け情報ＩB および地点Ｃ向け情報ＩC が符号分割多重化装置２１に入力されると、符号分割多重化装置２１は、地点Ａ向け情報ＩA 、地点Ｂ向け情報ＩB および地点Ｃ向け情報ＩC を符号分割多重化する。
【００７２】
すなわち、符号分割多重化装置２１は、地点Ａ向け情報ＩA 、地点Ｂ向け情報ＩB および地点Ｃ向け情報ＩC のそれぞれと、これらに対応するＰＮコードＣA 、ＰＮコードＣB およびＰＮコードＣC のそれぞれとを乗算した結果を合算することで、符号分割多重化情報ＩCDM を生成した後、これを送信装置２２へ出力する。これにより、送信装置２２は、パラボラアンテナ２３から通信衛星３０へ向けて符号分割多重化情報ＩCDM を送信する。この符号分割多重化情報ＩCDM は、通信衛星３０により中継され、地点Ａ、地点Ｂおよび地点Ｃを含む地表へ送信される。
【００７３】
ここで、移動経路Ｒに沿って移動している移動体１０A が地点Ａの近傍に位置し、かつ移動体１０B が地点Ｂの近傍に位置しているものとする。この場合、移動体１０A に搭載された情報受信装置４０のＧＰＳ受信部４２により、アンテナ４１を介して４個のＧＰＳ衛星（図示略）から電波が受信されると、自位置算出部４３は、図５に示したステップＳＡ１へ進む。ステップＳＡ１では、自位置算出部４３は、ＧＰＳ受信部４２の受信結果から移動体１０A の自位置（緯度、経度）を求め、これを自位置情報ＩＰA としてＰＮコード設定部４６へ出力する。
【００７４】
これにより、ステップＳＡ２では、ＰＮコード設定部４６は、自位置算出部４３からの自位置情報ＩＰA をキーとして、図４（ａ）に示した位置／ＰＮコードテーブルＴ1 から移動体１０A の自位置に最も近い位置に対応するＰＮコードを検索する。この場合、位置／ＰＮコードテーブルＴ1 内の地点Ａ位置ＰA が移動体１０A の自位置に最も近いものとすると、ＰＮコード設定部４６は、位置／ＰＮコードテーブルＴ1 から、地点Ａ位置ＰA に対応するＰＮコードＣA （＝１１００００１１）を検索した後、ステップＳＡ３へ進む。
【００７５】
ステップＳＡ３では、ＰＮコード設定部４６は、ステップＳＡ２で検索されたＰＮコード（検索ＰＮコード）と、既に情報受信部４５に設定済みのＰＮコード（設定ＰＮコード）とが一致するか否かを判断する。この場合、両者が不一致であるものとすると、ＰＮコード設定部４６は、ステップＳＡ３の判断結果を「Ｎｏ」として、ステップＳＡ４へ進む。なお、検索ＰＮコードと設定ＰＮコードとが一致する場合、ＰＮコード設定部４６は、ステップＳＡ３の判断結果を「Ｙｅｓ」とし、情報受信部４５に検索ＰＮコードを新たに設定しない。
【００７６】
この場合、ステップＳＡ４では、ＰＮコード設定部４６は、ステップＳＡ２で検索されたＰＮコードＣA （図２および図４（ａ）参照）を情報受信部４５に設定する。つぎに、ステップＳＡ５では、情報受信部４５は、アンテナ４４を介して受信した符号分割多重化情報ＩCDM と、ＰＮコード設定部４６により設定されたＰＮコードＣA との相関をとることにより、符号分割多重化情報ＩCDM から地点Ａ向け情報ＩA （図１参照）を抽出し、これを情報表示部４８へ出力する。
【００７７】
これにより、情報表示部４８には、図６に示した表示画面Ｇが表示される。この図に示したように、情報表示部４８には、地点Ａ向け情報ＩA として地点Ａの「天気」情報、地点Ａの「交通状況」情報、および地点Ａを含む地域の「エリアニュース」情報が表示される。以後、移動体１０A に搭載されている情報受信装置４０では、図５に示したステップＳＡ１〜ステップＳＡ５の処理が繰り返し実行される。
【００７８】
一方、上述した移動体１０A に搭載された情報受信装置４０の動作に並行して、図１に示した移動体１０B に搭載された情報受信装置４０のＧＰＳ受信部４２により、アンテナ４１を介して４個のＧＰＳ衛星（図示略）から電波が受信されると、自位置算出部４３は、図５に示したステップＳＡ１へ進む。ステップＳＡ１では、自位置算出部４３は、ＧＰＳ受信部４２の受信結果から移動体１０B の自位置（緯度、経度）を求め、これを自位置情報ＩＰB としてＰＮコード設定部４６へ出力する。
【００７９】
これにより、ステップＳＡ２では、ＰＮコード設定部４６は、自位置算出部４３からの自位置情報ＩＰB をキーとして、図４（ａ）に示した位置／ＰＮコードテーブルＴ1 から移動体１０B の自位置に最も近い位置に対応するＰＮコードを検索する。この場合、位置／ＰＮコードテーブルＴ1 内の地点Ｂ位置ＰB が移動体１０B の自位置に最も近いものとすると、ＰＮコード設定部４６は、位置／ＰＮコードテーブルＴ1 から、地点Ｂ位置ＰB に対応するＰＮコードＣB （＝１１００１１００）を検索した後、ステップＳＡ３へ進む。
【００８０】
ステップＳＡ３では、ＰＮコード設定部４６は、ステップＳＡ２で検索されたＰＮコード（検索ＰＮコード）と、既に情報受信部４５に設定済みのＰＮコード（設定ＰＮコード）とが一致するか否かを判断する。この場合、両者が不一致であるものとすると、ＰＮコード設定部４６は、ステップＳＡ３の判断結果を「Ｎｏ」として、ステップＳＡ４へ進む。ステップＳＡ４では、ＰＮコード設定部４６は、ステップＳＡ２で検索されたＰＮコードＣB （図２および図４（ａ）参照）を情報受信部４５に設定する。
【００８１】
つぎに、ステップＳＡ５では、情報受信部４５は、アンテナ４４を介して受信した符号分割多重化情報ＩCDM と、ＰＮコード設定部４６により設定されたＰＮコードＣB との相関をとることにより、符号分割多重化情報ＩCDM から地点Ｂ向け情報ＩB （図１参照）を抽出し、これを情報表示部４８へ出力する。これにより、情報表示部４８には、地点Ｂ向け情報ＩB が表示される。以後、移動体１０B に搭載されている情報受信装置４０では、図５に示したステップＳＡ１〜ステップＳＡ５の処理が繰り返し実行される。
【００８２】
そして、図１に示した移動中の移動体１０A が地点Ｂに近づくと、ステップＳＡ１では、自位置算出部４３は、ＧＰＳ受信部４２の受信結果から移動体１０A の自位置（緯度、経度）を求め、これを自位置情報ＩＰA としてＰＮコード設定部４６へ出力する。
【００８３】
これにより、ステップＳＡ２では、ＰＮコード設定部４６は、自位置算出部４３からの自位置情報ＩＰA をキーとして、図４（ａ）に示した位置／ＰＮコードテーブルＴ1 から移動体１０A の自位置に最も近い位置に対応するＰＮコードを検索する。この場合、位置／ＰＮコードテーブルＴ1 内の地点Ｂ位置ＰB が移動体１０A の自位置に最も近いものとすると、ＰＮコード設定部４６は、位置／ＰＮコードテーブルＴ1 から、地点Ｂ位置ＰB に対応するＰＮコードＣB （＝１１００１１００）を検索した後、ステップＳＡ３へ進む。
【００８４】
ステップＳＡ３では、ＰＮコード設定部４６は、ステップＳＡ２で検索された検索ＰＮコード（＝ＰＮコードＣB ）と、既に情報受信部４５に設定済みの設定ＰＮコード（＝ＰＮコードＣA ）とが一致するか否かを判断する。この場合、両者が不一致であるため、ＰＮコード設定部４６は、ステップＳＡ３の判断結果を「Ｎｏ」として、ステップＳＡ４へ進む。ステップＳＡ４では、ＰＮコード設定部４６は、ステップＳＡ２で検索されたＰＮコードＣB （図２および図４（ａ）参照）を情報受信部４５に設定する。
【００８５】
つぎに、ステップＳＡ５では、情報受信部４５は、アンテナ４４を介して受信した符号分割多重化情報ＩCDM と、ＰＮコード設定部４６により設定されたＰＮコードＣB との相関をとることにより、符号分割多重化情報ＩCDM から地点Ｂ向け情報ＩB （図１参照）を抽出し、これを情報表示部４８へ出力する。これにより、情報表示部４８には、地点Ａ向け情報ＩA に代えて、地点Ｂ向け情報ＩB が表示される。
【００８６】
さて、前述した動作例１では、図４（ａ）に示した位置／ＰＮコードテーブルＴ1 で、ＰＮコードＣA 等を地点Ａ位置ＰA 等に対応させる例について説明したが、ＰＮコードＣA 等をエリアに対応させてもよい。以下では、この場合を動作例２として説明する。
【００８７】
動作例２では、図３に示した記憶部４７には、位置／ＰＮコードテーブルＴ1 （図４（ａ）参照）に代えて、図４（ｂ）に示したエリア／ＰＮコードテーブルＴ2 が記憶されている。このエリア／ＰＮコードテーブルＴ2 は、エリアとＰＮコードとの対応関係を定義するテーブルである。
【００８８】
同図に示した例では、エリアＡA は、北緯３５±０．５度、東経１３５±０．５度という地点Ａ（北緯３５度、東経１３５度）が存在する領域であり、ＰＮコードＣA（＝１１００００１１）に対応付けられている。エリアＡB は、北緯３５±０．５度、東経１３６±０．５度という地点Ｂ（北緯３５度、東経１３６度）が存在する領域であり、ＰＮコードＣB（＝１１００１１００）に対応付けられている。エリアＡC は、北緯３５±０．５度、東経１３７±０．５度という地点Ｃ（北緯３５度、東経１３７度）が存在する領域であり、ＰＮコードＣC（＝１００１１００１）に対応付けられている。
【００８９】
つぎに、実施の形態１の動作例２について図７に示したフローチャートを参照しつつ説明する。この場合、図１に示した移動経路Ｒに沿って移動している移動体１０A が地点Ａの近傍に位置し、かつ移動体１０B が地点Ｂの近傍に位置しているものとする。この場合、移動体１０A に搭載された情報受信装置４０のＧＰＳ受信部４２により、アンテナ４１を介して４個のＧＰＳ衛星（図示略）から電波が受信されると、自位置算出部４３は、図７に示したステップＳＢ１へ進む。
【００９０】
ステップＳＢ１では、自位置算出部４３は、前述した動作例１と同様にして、ＧＰＳ受信部４２の受信結果から移動体１０A の自位置（緯度、経度）を求め、これを自位置情報ＩＰA としてＰＮコード設定部４６へ出力する。これにより、ステップＳＢ２では、ＰＮコード設定部４６は、自位置算出部４３からの自位置情報ＩＰA をキーとして、図４（ｂ）に示したエリア／ＰＮコードテーブルＴ2 から移動体１０A が存在するエリアを検索する。
【００９１】
この場合、エリア／ＰＮコードテーブルＴ2 内のエリアＡA に移動体１０A が存在しているものとすると、ＰＮコード設定部４６は、エリア／ＰＮコードテーブルＴ2 からエリアＡA を検索した後、ステップＳＢ３へ進む。ステップＳＢ３では、ＰＮコード設定部４６は、ステップＳＢ２で今回、検索されたエリア（検索エリア）と、前回、検索されたエリアとが一致するか否かを判断する。
【００９２】
この場合、両者が不一致であるものとすると、ＰＮコード設定部４６は、ステップＳＢ３の判断結果を「Ｎｏ」として、ステップＳＢ４へ進む。なお、前回の検索エリアと今回の検索エリアとが一致する場合、ＰＮコード設定部４６は、ステップＳＢ３の判断結果を「Ｙｅｓ」とし、情報受信部４５に今回の検索エリアに対応するＰＮコードを新たに設定しない。
【００９３】
この場合、ステップＳＢ４では、ＰＮコード設定部４６は、ステップＳＢ２で今回、検索されたエリアＡA に対応するＰＮコードＣA （図２および図４（ｂ）参照）を情報受信部４５に設定する。つぎに、ステップＳＢ５では、情報受信部４５は、アンテナ４４を介して受信した符号分割多重化情報ＩCDM と、ＰＮコード設定部４６により設定されたＰＮコードＣA との相関をとることにより、符号分割多重化情報ＩCDM から地点Ａ向け情報ＩA （図１参照）を抽出し、これを情報表示部４８へ出力する。
【００９４】
これにより、情報表示部４８には、地点Ａ向け情報ＩA が表示される。以後、移動体１０A に搭載されている情報受信装置４０では、図７に示したステップＳＢ１〜ステップＳＢ５の処理が繰り返し実行される。
【００９５】
一方、上述した移動体１０A に搭載された情報受信装置４０の動作に並行して、図１に示した移動体１０B に搭載された情報受信装置４０のＧＰＳ受信部４２により、アンテナ４１を介して４個のＧＰＳ衛星（図示略）から電波が受信されると、自位置算出部４３は、図７に示したステップＳＢ１へ進む。ステップＳＢ１では、自位置算出部４３は、ＧＰＳ受信部４２の受信結果から移動体１０B の自位置（緯度、経度）を求め、これを自位置情報ＩＰB としてＰＮコード設定部４６へ出力する。
【００９６】
これにより、ステップＳＢ２では、ＰＮコード設定部４６は、自位置算出部４３からの自位置情報ＩＰB をキーとして、図４（ｂ）に示したエリア／ＰＮコードテーブルＴ2 から移動体１０B が存在するエリアを検索する。この場合、エリア／ＰＮコードテーブルＴ2 内のエリアＡB に移動体１０B が存在しているものとすると、ＰＮコード設定部４６は、エリア／ＰＮコードテーブルＴ2 からエリアＡB を検索した後、ステップＳＢ３へ進む。
【００９７】
ステップＳＢ３では、ＰＮコード設定部４６は、ステップＳＢ２で今回、検索されたエリア（検索エリア）と、前回、検索されたエリアとが一致するか否かを判断し、この場合、判断結果を「Ｎｏ」として、ステップＳＢ４へ進む。ステップＳＢ４では、ＰＮコード設定部４６は、ステップＳＢ２で今回、検索されたエリアＡB に対応するＰＮコードＣB （図２および図４（ｂ）参照）を情報受信部４５に設定する。
【００９８】
つぎに、ステップＳＢ５では、情報受信部４５は、アンテナ４４を介して受信した符号分割多重化情報ＩCDM と、ＰＮコード設定部４６により設定されたＰＮコードＣB との相関をとることにより、符号分割多重化情報ＩCDM から地点Ｂ向け情報ＩB （図１参照）を抽出し、これを情報表示部４８へ出力する。これにより、情報表示部４８には、地点Ｂ向け情報ＩB が表示される。以後、移動体１０B に搭載されている情報受信装置４０では、図７に示したステップＳＢ１〜ステップＳＢ５の処理が繰り返し実行される。
【００９９】
そして、図１に示した移動中の移動体１０A が地点Ｂに近づくと、ステップＳＢ１では、自位置算出部４３は、ＧＰＳ受信部４２の受信結果から移動体１０A の自位置（緯度、経度）を求め、これを自位置情報ＩＰA としてＰＮコード設定部４６へ出力する。
【０１００】
これにより、ステップＳＢ２では、ＰＮコード設定部４６は、自位置算出部４３からの自位置情報ＩＰA をキーとして、図４（ｂ）に示したエリア／ＰＮコードテーブルＴ2 から移動体１０A が存在するエリアを検索する。この場合、エリア／ＰＮコードテーブルＴ2 内のエリアＡB に移動体１０A が存在しているものとすると、ＰＮコード設定部４６は、エリア／ＰＮコードテーブルＴ2 から、エリアＡB を検索した後、ステップＳＢ３へ進む。
【０１０１】
ステップＳＢ３では、ＰＮコード設定部４６は、ステップＳＢ２で今回、検索されたエリア（検索エリア）と、前回、検索されたエリアとが一致するか否かを判断し、この場合、判断結果を「Ｎｏ」として、ステップＳＢ４へ進む。ステップＳＢ４では、ＰＮコード設定部４６は、ステップＳＢ２で今回、検索されたエリアＡB に対応するＰＮコードＣB （図２および図４（ｂ）参照）を情報受信部４５に設定する。
【０１０２】
つぎに、ステップＳＢ５では、情報受信部４５は、アンテナ４４を介して受信した符号分割多重化情報ＩCDM と、ＰＮコード設定部４６により設定されたＰＮコードＣB との相関をとることにより、符号分割多重化情報ＩCDM から地点Ｂ向け情報ＩB （図１参照）を抽出し、これを情報表示部４８へ出力する。これにより、情報表示部４８には、地点Ａ向け情報ＩA に代えて、地点Ｂ向け情報ＩB が表示される。
【０１０３】
以上説明したように、実施の形態１によれば、上空の通信衛星３０から符号分割多重化情報ＩCDM を地表に向けて送信することで、従来のハイウェイラジオ等に比して、極めて広い範囲に亘って情報提供を行うことができ、情報送信局２０の設置数が１局で足りるため、コストを下げることができる。
【０１０４】
また、実施の形態１によれば、移動体（移動体１０A 等）の存在し得る地点の位置（地点Ａ位置ＰA 等）とＰＮコード（ＰＮコードＣA 等）とをあらかじめ位置／ＰＮコードテーブルＴ1 により対応付けるとともに、間接的に、移動体の自位置と提供すべき情報（地点Ａ向け情報ＩA 等）とを対応付けて、移動体の移動に伴って、符号分割多重化情報ＩCDM から抽出される情報を自動的に変化させるようにしたので、従来のオンデマンド型の情報提供システムに比して、利用者の使い勝手が格段に良くなるため、情報提供サービスの質を向上させることができる。
【０１０５】
また、実施の形態１によれば、移動体（移動体１０A 等）の存在し得るエリア（エリアＡA 等）とＰＮコード（ＰＮコードＣA 等）とをあらかじめエリア／ＰＮコードテーブルＴ2 により対応付けるとともに、間接的に、移動体の自位置と提供すべき情報（地点Ａ向け情報ＩA 等）とを対応付けて、移動体の移動に伴って、符号分割多重化情報ＩCDM から抽出される情報を自動的に変化させるようにしたので、従来のオンデマンド型の情報提供システムに比して、利用者の使い勝手が格段に良くなるため、情報提供サービスの質を向上させることができる。
【０１０６】
（実施の形態２）
さて、前述した実施の形態１では、図１に示した符号分割多重化装置２１により、地点Ａ向け情報ＩA 、地点Ｂ向け情報ＩB および地点Ｃ向け情報ＩC を符号分割多重化方式（ＣＤＭ方式）により符号分割多重化する例について説明したが、この符号分割多重化方式に代えて、符号分割多元接続（ＣＤＭＡ：Code Division Multiple Access）方式により、地点Ａ向け情報ＩA 、地点Ｂ向け情報ＩB および地点Ｃ向け情報ＩC を空間上で多重化してもよい。以下では、この場合を実施の形態２として説明する。
【０１０７】
図８は、本発明にかかる実施の形態２の構成を示す図である。この図において、図１の各部に対応する部分には同一の符号を付けその説明を省略する。図８においては、図１に示した情報送信局２０に代えて、情報送信局２０A 、情報送信局２０B および情報送信局２０C が設けられている。すなわち、実施の形態１では、符号分割多重化方式が採用されているため情報送信局が１局で足りるのに対して、実施の形態２では、符号分割多元接続方式を採用すべく情報送信局が３局必要となる。
【０１０８】
情報送信局２０A は、情報提供者から提供される地点Ａ向け情報ＩA とＰＮコードＣA とを乗算することにより、地点Ａ向け情報ＩA をスペクトラム拡散させた結果を被符号分割多元接続情報ＩA’として通信衛星３０へ送信する送信局である。この情報送信局２０A には、処理装置２１A 、送信装置２２A およびパラボラアンテナ２３A が設置されている。
【０１０９】
処理装置２１A は、地点Ａ向け情報ＩA とＰＮコードＣA とを乗算することにより、地点Ａ向け情報ＩA をスペクトラム拡散させた結果を被符号分割多元接続情報ＩA’として送信装置２２A へ出力する装置である。送信装置２２A は、パラボラアンテナ２３A を介して被符号分割多元接続情報ＩA’を通信衛星３０へ向けて送信する。
【０１１０】
情報送信局２０B は、情報提供者から提供される地点Ｂ向け情報ＩB とＰＮコードＣB とを乗算することにより、地点Ｂ向け情報ＩB をスペクトラム拡散させた結果を被符号分割多元接続情報ＩB’として通信衛星３０へ送信する送信局である。この情報送信局２０B には、処理装置２１B 、送信装置２２B およびパラボラアンテナ２３B が設置されている。
【０１１１】
処理装置２１B は、地点Ｂ向け情報ＩB とＰＮコードＣB とを乗算することにより、地点Ｂ向け情報ＩB をスペクトラム拡散させた結果を被符号分割多元接続情報ＩB’として送信装置２２B へ出力する装置である。送信装置２２B は、パラボラアンテナ２３B を介して被符号分割多元接続情報ＩB’を通信衛星３０へ向けて送信する。
【０１１２】
情報送信局２０C は、情報提供者から提供される地点Ｃ向け情報ＩC とＰＮコードＣC とを乗算することにより、地点Ｃ向け情報ＩC をスペクトラム拡散させた結果を被符号分割多元接続情報ＩC’として通信衛星３０へ送信する送信局である。この情報送信局２０C には、処理装置２１C 、送信装置２２C およびパラボラアンテナ２３C が設置されている。
【０１１３】
処理装置２１C は、地点Ｃ向け情報ＩC とＰＮコードＣC とを乗算することにより、地点Ｃ向け情報ＩC をスペクトラム拡散させた結果を被符号分割多元接続情報ＩC’として送信装置２２C へ出力する装置である。送信装置２２C は、パラボラアンテナ２３C を介して被符号分割多元接続情報ＩC’を通信衛星３０へ向けて送信する。
【０１１４】
被符号分割多元接続情報ＩA’、ＩB’およびＩC’は、空間上で符号分割多元接続され、通信衛星３０により中継される。すなわち、通信衛星３０からは、被符号分割多元接続情報ＩA’、ＩB’およびＩC’が多元接続（多重化）された符号分割多元接続情報ＩCDMA が地表へ向けて送信される。
【０１１５】
ここで、符号分割多元接続情報ＩCDMAと前述した符号分割多重化情報ＩCDM （図１参照）とは、空間上で多重化されるか、または符号分割多重化装置２１（図１参照）で多重化されるかという多重化の場所が相違するだけであって、実質的に同一の情報である。
【０１１６】
上記構成において、図８に示した地点Ａ向け情報ＩA が処理装置２１A に入力されると、処理装置２１A は、地点Ａ向け情報ＩA およびＰＮコードＣA を用いて被符号分割多元接続情報ＩA’を生成した後、これを送信装置２２A へ出力する。これにより、送信装置２２A は、被符号分割多元接続情報ＩA’をパラボラアンテナ２３A を介して通信衛星３０へ向けて送信する。
【０１１７】
また、地点Ｂ向け情報ＩB が処理装置２１B に入力されると、処理装置２１B は、地点Ｂ向け情報ＩB およびＰＮコードＣB を用いて被符号分割多元接続情報ＩB’を生成した後、これを送信装置２２B へ出力する。これにより、送信装置２２B は、被符号分割多元接続情報ＩB’をパラボラアンテナ２３B を介して通信衛星３０へ向けて送信する。
【０１１８】
また、地点Ｃ向け情報ＩC が処理装置２１C に入力されると、処理装置２１C は、地点Ｃ向け情報ＩC およびＰＮコードＣC を用いて被符号分割多元接続情報ＩC’を生成した後、これを送信装置２２C へ出力する。これにより、送信装置２２C は、被符号分割多元接続情報ＩC’をパラボラアンテナ２３C を介して通信衛星３０へ向けて送信する。
【０１１９】
そして、通信衛星３０へ向けて送信された被符号分割多元接続情報ＩA’、ＩB’およびＩC’は、空間上で符号分割多元接続され、符号分割多元接続情報ＩCDMAとして通信衛星３０により中継される。これにより、符号分割多元接続情報ＩCDMAは、地点Ａ、地点Ｂおよび地点Ｃを含む地表へ送信される。
【０１２０】
この場合、移動体１０A および移動体１０B に搭載されたそれぞれの情報受信装置４０（図３参照）は、符号分割多元接続情報ＩCDMAを受信する。以後、情報受信装置４０は、実施の形態１で説明した符号分割多重化情報ＩCDM を受信した場合と同様にして、図５または図７に示したフローチャートにしたがって動作することで、図８に示した地点Ａ向け情報ＩA 、地点Ｂ向け情報ＩB または地点Ｃ向け情報ＩC を受信する。
【０１２１】
以上説明したように、実施の形態２によれば、上空の通信衛星３０から符号分割多元接続情報ＩCDMAを地表に向けて送信することで、従来のハイウェイラジオ等に比して、極めて広い範囲に亘って情報提供を行うことができ、情報送信局２０A 〜２０C の設置数が、提供すべき情報（地点Ａ向け情報ＩA 等）の数に対応する３局で足りるため、コストを下げることができる。
【０１２２】
また、実施の形態２によれば、実施の形態１と同様にして、従来のオンデマンド型の情報提供システムに比して、利用者の使い勝手が格段に良くなるため、情報提供サービスの質を向上させることができる。
【０１２３】
（実施の形態３）
さて、前述した実施の形態１および２では、移動体の自位置をキーとしてＰＮコードを検索する機能を情報受信装置４０に持たせた例について説明したが、このＰＮコードの検索を外部の装置に行わせるようにしてもよい。以下では、この場合を実施の形態３として説明する。
【０１２４】
図９は、本発明にかかる実施の形態３の構成を示す図である。この図において、図８の各部に対応する部分には同一の符号を付けその説明を省略する。図９においては、センタ５０が新たに設けられている。また、同図に示した移動体１０A および移動体１０B のそれぞれには、図３に示した情報受信装置４０に代えて、図１０に示した情報受信装置６０が搭載されている。図１０においては、図３の各部に対応する部分には同一の符号を付けその説明を省略する。
【０１２５】
この情報受信装置６０は、移動体の自位置をＧＰＳを利用して測定する測位機能と、自位置情報に基づいて、符号分割多元接続情報ＩCDMAから情報を抽出するときに用いられるＰＮコードをセンタ５０（図９参照）へ問い合わせるＰＮコード問い合わせ機能と、通信衛星３０からの符号分割多元接続情報ＩCDMAを受信する受信機能と、上記自位置、およびセンタ５０から通知されたＰＮコードに基づいて、符号分割多元接続情報ＩCDMAから当該移動体が位置する地点に対応する情報を抽出する情報抽出機能と、抽出された情報を表示する表示機能とを備えている。
【０１２６】
この情報受信装置６０において、センタ用送受信部６２は、自位置算出部４３からの自位置情報（たとえば、自位置情報ＩＰA または自位置情報ＩＰB ）をセンタ５０へ送信し、センタ５０から通知されるＰＮコードを受信する。上記自位置情報は、ＰＮコードをセンタ５０に問い合わせるための情報である。
【０１２７】
ＰＮコードは、符号分割多元接続情報ＩCDMAとの相関をとることにより、符号分割多元接続情報ＩCDMAから地点Ａ向け情報ＩA 、地点Ｂ向け情報ＩB または地点Ｃ向け情報ＩC を抽出するためのコードである。ＰＮコード設定部６３は、センタ５０から通知されたＰＮコードを情報受信部４５に設定する。
【０１２８】
図９に戻り、センタ５０は、情報受信装置６０（図１０参照）からのＰＮコードの問い合わせに対して、該当するＰＮコードを送信する送受信局である。このセンタ５０には、アンテナ５１、送受信装置５２、制御装置５３および記憶装置５４が設置されている。送受信装置５２は、移動体に搭載された情報受信装置６０との間で、アンテナ５１を介して自位置情報（たとえば、自位置情報ＩＰA 、自位置情報ＩＰB）の受信およびＰＮコード（たとえば、ＰＮコードＣA 、ＰＮコードＣB ）の送信を行う装置である。
【０１２９】
制御装置５３は、送受信装置５２により受信された自位置情報をキーとして、記憶装置５４に記憶されているエリア／ＰＮコードテーブルＴ2（図４（ｂ）参照）からＰＮコードを検索し、このＰＮコードを送受信装置５２へ渡す。すなわち、制御装置５３は、前述したＰＮコード設定部４６（図３参照）のＰＮコード検索機能と同様の機能を備えている。
【０１３０】
つぎに、実施の形態３の動作について、図１１に示したフローチャートを参照しつつ説明する。この場合、図９に示した移動経路Ｒに沿って移動している移動体１０A が地点Ａの近傍に位置し、かつ移動体１０B が地点Ｂの近傍に位置しているものとする。また、通信衛星３０からは、地表に向けて符号分割多元接続情報ＩCDMAが送信されているものとする。
【０１３１】
この場合、移動体１０A に搭載された情報受信装置６０（図１０参照）のＧＰＳ受信部４２により、アンテナ４１を介して４個のＧＰＳ衛星（図示略）から電波が受信されると、自位置算出部４３は、図１１に示したステップＳＣ１へ進む。ステップＳＣ１では、自位置算出部４３は、前述した実施の形態１と同様にして、ＧＰＳ受信部４２の受信結果から移動体１０A の自位置（緯度、経度）を求め、これを自位置情報ＩＰA としてセンタ用送受信部６２へ出力する。
【０１３２】
これにより、ステップＳＣ２では、センタ用送受信部６２は、自位置情報ＩＰA を、センタ５０（図９参照）へ通知する。具体的には、センタ用送受信部６２は、自位置情報ＩＰA をアンテナ６１を介してセンタ５０へ送信する。そして、上記自位置情報ＩＰA が図９に示したアンテナ５１を介して送受信装置５２に受信されると、ステップＳＣ３では、制御装置５３は、自位置情報ＩＰA から移動体１０A の位置（またはエリア）を把握した後、ステップＳＣ４へ進む。
【０１３３】
ステップＳＣ４では、制御装置５３は、自位置情報ＩＰA をキーとして、図４（ｂ）に示したエリア／ＰＮコードテーブルＴ2 から移動体１０A が存在するエリアを検索する。この場合、エリア／ＰＮコードテーブルＴ2 内のエリアＡA に移動体１０A が存在しているものとすると、制御装置５３は、エリア／ＰＮコードテーブルＴ2 からエリアＡA を検索した後、ステップＳＣ５へ進む。
【０１３４】
ステップＳＣ５では、制御装置５３は、移動体１０A からの自位置の通知（ステップＳＣ２参照）が最初の自位置の通知であるか否かを判断し、この場合、判断結果を「Ｎｏ」として、ステップＳＣ６へ進む。なお、ステップＳＣ５の判断結果が「Ｙｅｓ」である場合、制御装置５３は、ステップＳＣ７へ進む。
【０１３５】
この場合、ステップＳＣ６では、制御装置５３は、移動体１０A の自位置が、前回、検索されたエリア内に存在しているか否かを判断し、この場合、判断結果を「Ｎｏ」として、ステップＳＣ７へ進む。なお、ステップＳＣ６の判断結果が「Ｙｅｓ」である場合には、ステップＳＣ１〜ステップＳＣ６までの処理が繰り返される。
【０１３６】
ステップＳＣ７では、制御装置５３は、図４（ｂ）に示したエリア／ＰＮコードテーブルＴ2 から、移動体１０A が存在するエリアに対応するＰＮコードを検索する。この場合、制御装置５３は、エリア／ＰＮコードテーブルＴ2 からエリアＡA に対応するＰＮコードＣA を検索し、これを送受信装置５２へ渡す。ステップＳＣ８では、送受信装置５２は、ＰＮコードＣA を移動体１０A に搭載されている情報受信装置６０へ通知する。具体的には、送受信装置５２は、ＰＮコードＣA をアンテナ５１を介して上記情報受信装置６０へ送信する。
【０１３７】
これにより、ステップＳＣ９では、図１０に示したセンタ用送受信部６２は、アンテナ６１を介してＰＮコードＣA を受信した後、これをＰＮコード設定部６３へ渡す。つぎに、ステップＳＣ１０では、ＰＮコード設定部６３は、ステップＳＣ７で検索されかつセンタ５０から通知された検索ＰＮコードが、情報受信部４５に既に設定済みの設定ＰＮコードと一致するか否かを判断する。
【０１３８】
この場合、両者が不一致であるものとすると、ＰＮコード設定部６３は、ステップＳＣ１０の判断結果を「Ｎｏ」として、ステップＳＣ１１へ進む。なお、検索ＰＮコードと設定ＰＮコードとが一致する場合、ＰＮコード設定部６３は、ステップＳＣ１０の判断結果を「Ｙｅｓ」とし、情報受信部４５に新たにＰＮコードを設定しない。
【０１３９】
この場合、ステップＳＣ１１では、ＰＮコード設定部６３は、センタ５０から通知されたＰＮコードＣA （図２および図４（ｂ）参照）を情報受信部４５に設定する。つぎに、ステップＳＣ１２では、情報受信部４５は、アンテナ４４を介して受信した符号分割多元接続情報ＩCDMAと、ＰＮコード設定部６３により設定されたＰＮコードＣA との相関をとることにより、符号分割多元接続情報ＩCDMAから地点Ａ向け情報ＩA （図９参照）を抽出し、これを情報表示部４８へ出力する。これにより、情報表示部４８には、地点Ａ向け情報ＩA が表示される。
【０１４０】
一方、上述した移動体１０A に搭載された情報受信装置６０の動作と同様にして、図９に示した移動体１０B に搭載された情報受信装置６０も、自位置情報ＩＰB をセンタ５０へ通知することでＰＮコードの問い合わせを行った後、センタ５０からのＰＮコードＣB の通知を受ける。これにより、移動体１０B に搭載された情報受信装置６０では、ＰＮコードＣB に基づいて符号分割多元接続情報ＩCDMAから地点Ｂ向け情報ＩB が抽出された後、地点Ｂ向け情報ＩB が情報表示部４８に表示される。
【０１４１】
そして、図９に示した移動中の移動体１０A が地点Ｂに近づくと、ステップＳＣ１では、図１０に示した自位置算出部４３は、前述した動作と同様にして、ＧＰＳ受信部４２の受信結果から移動体１０A の自位置（緯度、経度）を求め、これを自位置情報ＩＰA としてセンタ用送受信部６２へ出力する。
【０１４２】
これにより、ステップＳＣ２では、センタ用送受信部６２は、自位置情報ＩＰA を、センタ５０（図９参照）へ通知する。そして、上記自位置情報ＩＰA が図９に示したアンテナ５１を介して送受信装置５２に受信されると、ステップＳＣ３では、制御装置５３は、自位置情報ＩＰA から移動体１０A の位置（またはエリア）を把握した後、ステップＳＣ４へ進む。
【０１４３】
ステップＳＣ４では、制御装置５３は、自位置情報ＩＰA をキーとして、図４（ｂ）に示したエリア／ＰＮコードテーブルＴ2 から移動体１０A が存在するエリアを検索する。この場合、エリア／ＰＮコードテーブルＴ2 内のエリアＡB に移動体１０A が存在しているものとすると、制御装置５３は、エリア／ＰＮコードテーブルＴ2 からエリアＡB を検索した後、ステップＳＣ５へ進む。
【０１４４】
ステップＳＣ５では、制御装置５３は、移動体１０A からの自位置の通知（ステップＳＣ２参照）が最初の自位置の通知であるか否かを判断し、この場合、判断結果を「Ｎｏ」として、ステップＳＣ６へ進む。ステップＳＣ６では、制御装置５３は、判断結果を「Ｎｏ」として、ステップＳＣ７へ進む。
【０１４５】
ステップＳＣ７では、制御装置５３は、図４（ｂ）に示したエリア／ＰＮコードテーブルＴ2 からエリアＡB に対応するＰＮコードＣB を検索し、これを送受信装置５２へ渡す。ステップＳＣ８では、送受信装置５２は、ＰＮコードＣB を移動体１０A に搭載されている情報受信装置６０へ通知する。
【０１４６】
これにより、ステップＳＣ９では、図１０に示したセンタ用送受信部６２は、アンテナ６１を介してＰＮコードＣB を受信した後、これをＰＮコード設定部６３へ渡す。つぎに、ステップＳＣ１０では、ＰＮコード設定部６３は、センタ５０から通知されたＰＮコードＣB が、情報受信部４５に既に設定済みの設定ＰＮコードと一致するか否かを判断する。
【０１４７】
この場合、両者が不一致であるものとすると、ＰＮコード設定部６３は、ステップＳＣ１０の判断結果を「Ｎｏ」として、ステップＳＣ１１へ進む。ステップＳＣ１１では、ＰＮコード設定部６３は、センタ５０から通知されたＰＮコードＣB （図２および図４（ｂ）参照）を情報受信部４５に設定する。
【０１４８】
つぎに、ステップＳＣ１２では、情報受信部４５は、アンテナ４４を介して受信した符号分割多元接続情報ＩCDMAと、ＰＮコード設定部６３により設定されたＰＮコードＣB との相関をとることにより、符号分割多元接続情報ＩCDMAから地点Ｂ向け情報ＩB （図９参照）を抽出し、これを情報表示部４８へ出力する。これにより、情報表示部４８には、地点Ｂ向け情報ＩB が表示される。
【０１４９】
なお、実施の形態３では、図４（ｂ）に示したエリア／ＰＮコードテーブルＴ2 に代えて、図４（ａ）に示した位置／ＰＮコードテーブルＴ1 を記憶装置５４（図９参照）に記憶させ、この位置／ＰＮコードテーブルＴ1 を用いてＰＮコードの検索を行うようにしてもよい。この場合、制御装置５３の検索動作は、前述した実施の形態１の動作例１で説明したＰＮコード設定部４６の検索動作と同様である。
【０１５０】
また、実施の形態３では、符号分割多元接続情報ＩCDMAを用いた例について説明したが、これに代えて、実施の形態１で説明した符号分割多重化情報ＩCDM を用いてもよい。この場合には、図９に示した情報送信局２０A 〜２０C に代えて、情報送信局２０（図１参照）を用いればよい。
【０１５１】
以上説明したように、実施の形態３によれば、移動体（移動体１０A 等）の自位置の情報（自位置情報ＩＰA 等）に対応するエリア（エリアＡA 等）およびＰＮコード（ＰＮコードＣA 等）に関する検索機能をセンタ５０に持たせ、位置／ＰＮコードテーブルＴ1 またはエリア／ＰＮコードテーブルＴ2 を一つのセンタ５０の記憶装置５４に保持するようにしたので、ＰＮコードテーブルＴ1 またはエリア／ＰＮコードテーブルＴ2 のメンテナンス（対応関係の変更）を楽に行うことができる。
【０１５２】
（実施の形態４）
さて、前述した実施の形態１では、多重分割方式として符号分割多重化方式（ＣＤＭ方式）を採用した例について説明したが、これに代えて、時分割多重化方式（ＴＤＭ（Time Division Multiplex）方式）を採用してもよい。以下では、この場合を実施の形態４として説明する。
【０１５３】
図１２は、本発明にかかる実施の形態４の構成を示す図である。この図において、図１の各部に対応する部分には同一の符号を付けその説明を省略する。図１２においては、図１に示した符号分割多重化装置２１に代えて、時分割多重化装置７０が設けられている。また、同図に示した移動体１０A および移動体１０B のそれぞれには、図３に示した情報受信装置４０に代えて、図１３に示した情報受信装置８０が搭載されている。図１３においては、図３の各部に対応する部分には同一の符号を付けその説明を省略する。
【０１５４】
図１２に示した時分割多重化装置７０は、図１４（ａ）に示したタイムスロットＴＳA 、タイムスロットＴＳB およびタイムスロットＴＳC に地点Ａ向け情報ＩA 、地点Ｂ向け情報ＩB および地点Ｃ向け情報ＩC を割り当てることにより、これらの地点Ａ向け情報ＩA 、地点Ｂ向け情報ＩB および地点Ｃ向け情報ＩC を時間軸上で時分割多重化する装置である。
【０１５５】
図１４（ａ）において、タイムスロットＴＳA には、地点Ａ向け情報ＩA が割り当てられており、タイムスロットＴＳB には、地点Ｂ向け情報ＩB が割り当てられており、タイムスロットＴＳC には、地点Ｃ向け情報ＩC が割り当てられている。また、時分割多重化装置７０は、時分割多重化した結果を、時分割多重化情報ＩTDM として送信装置２２へ出力する。
【０１５６】
送信装置２２は、パラボラアンテナ２３を介して時分割多重化情報ＩTDM を通信衛星３０へ向けて送信する。この通信衛星３０は、中継装置として機能しており、パラボラアンテナ２３から送信された時分割多重化情報ＩTDM を受信した後、地点Ａ、地点Ｂおよび地点Ｃを少なくとも含む地表へ向けて時分割多重化情報ＩTDM を送信する。
【０１５７】
図１３に示した情報受信装置８０は、移動体（たとえば、移動体１０A および移動体１０B ）に搭載されており、当該移動体の自位置をＧＰＳ（Global Positioning System）を利用して測定する測位機能と、通信衛星３０からの時分割多重化情報ＩTDM を受信する受信機能と、上記自位置に基づいて、時分割多重化情報ＩTDM から当該移動体が位置する地点に対応する情報を抽出する情報抽出機能と、抽出された情報を表示する表示機能とを備えている。
【０１５８】
この情報受信装置８０において、タイムスロット設定部８３は、自位置算出部４３からの自位置情報に対応するタイムスロット（たとえば、図１４（ａ）に示したタイムスロットＴＳA 、タイムスロットＴＳB またはタイムスロットＴＳC ）を情報受信部８２に設定する。情報受信部８２は、時分割多重化情報ＩTDM から、タイムスロット設定部８３により設定されたタイムスロットの情報（たとえば、地点Ａ向け情報ＩA 、地点Ｂ向け情報ＩB または地点Ｃ向け情報ＩC ）を抽出する。
【０１５９】
具体的には、タイムスロット設定部８３は、自位置算出部４３からの自位置情報をキーとして、記憶部８４に記憶されている位置／タイムスロットテーブルＴ3（図１４（ｂ）参照）から当該自位置に最も近い位置に対応するタイムスロットを検索し、このタイムスロットを情報受信部８２に設定する。図１４（ｂ）に示した位置／タイムスロットテーブルＴ3 は、位置とタイムスロットとの対応関係を定義するテーブルである。
【０１６０】
同図に示した例では、地点Ａ位置ＰA は、地点Ａ（図１２参照）の位置（北緯３５度、東経１３５度）である。この地点Ａ位置ＰA に対応するタイムスロットＴＳA は、時分割多重化情報ＩTDM から地点Ａ向け情報ＩA （図１２参照）を抽出する場合に情報受信部８２に設定される。
【０１６１】
地点Ｂ位置ＰB は、地点Ｂ（図１２参照）の位置（北緯３５度、東経１３６度）である。この地点Ｂ位置ＰB に対応するタイムスロットＴＳB は、時分割多重化情報ＩTDM から地点Ｂ向け情報ＩB を抽出する場合に情報受信部８２に設定される。また、地点Ｃ位置ＰC は、地点Ｃ（図１２参照）の位置（北緯３５度、東経１３７度）である。この地点Ｃ位置ＰC に対応するタイムスロットＴＳC は、時分割多重化情報ＩTDM から地点Ｃ向け情報ＩC を抽出する場合に情報受信部８２に設定される。
【０１６２】
情報受信部８２は、通信衛星３０（図１２参照）に中継された時分割多重化情報ＩTDM をアンテナ８１を介して受信する。また、情報受信部８２は、受信した時分割多重化情報ＩTDM から、タイムスロット設定部８３により設定されたタイムスロットの情報を抽出する。
【０１６３】
つぎに、実施の形態４の動作例１について図１５に示したフローチャートを参照しつつ説明する。図１２に示した地点Ａ向け情報ＩA 、地点Ｂ向け情報ＩB および地点Ｃ向け情報ＩC が時分割多重化装置７０に入力されると、時分割多重化装置７０は、地点Ａ向け情報ＩA 、地点Ｂ向け情報ＩB および地点Ｃ向け情報ＩC を時分割多重化する。
【０１６４】
すなわち、時分割多重化装置７０は、地点Ａ向け情報ＩA 、地点Ｂ向け情報ＩB および地点Ｃ向け情報ＩC のそれぞれを、これらに対応するタイムスロットＴＳA 、タイムスロットＴＳB およびタイムスロットＴＳC のそれぞれに割り当てることにより、時分割多重化情報ＩTDM を生成した後、これを送信装置２２へ出力する。これにより、送信装置２２は、パラボラアンテナ２３から通信衛星３０へ向けて時分割多重化情報ＩTDM を送信する。この時分割多重化情報ＩTDM は、通信衛星３０により中継され、地点Ａ、地点Ｂおよび地点Ｃを含む地表へ送信される。
【０１６５】
ここで、移動経路Ｒに沿って移動している移動体１０A が地点Ａの近傍に位置し、かつ移動体１０B が地点Ｂの近傍に位置しているものとする。この場合、図１５に示したステップＳＤ１では、自位置算出部４３は、ＧＰＳ受信部４２の受信結果から移動体１０A の自位置（緯度、経度）を求め、これを自位置情報ＩＰA としてタイムスロット設定部８３へ出力する。
【０１６６】
これにより、ステップＳＤ２では、タイムスロット設定部８３は、自位置算出部４３からの自位置情報ＩＰA をキーとして、図１４（ｂ）に示した位置／タイムスロットテーブルＴ3 から移動体１０A の自位置に最も近い位置に対応するタイムスロットを検索する。この場合、位置／タイムスロットテーブルＴ3 内の地点Ａ位置ＰA が移動体１０A の自位置に最も近いものとすると、タイムスロット設定部８３は、位置／タイムスロットテーブルＴ3 から、地点Ａ位置ＰA に対応するタイムスロットＴＳA を検索した後、ステップＳＤ３へ進む。
【０１６７】
ステップＳＤ３では、タイムスロット設定部８３は、ステップＳＤ２で検索されたタイムスロット（検索タイムスロット）と、既に情報受信部８２に設定済みのタイムスロット（設定タイムスロット）とが一致するか否かを判断する。この場合、両者が不一致であるものとすると、タイムスロット設定部８３は、ステップＳＤ３の判断結果を「Ｎｏ」として、ステップＳＤ４へ進む。なお、検索タイムスロットと設定タイムスロットとが一致する場合、タイムスロット設定部８３は、ステップＳＤ３の判断結果を「Ｙｅｓ」とし、情報受信部８２に検索タイムスロットを新たに設定しない。
【０１６８】
この場合、ステップＳＤ４では、タイムスロット設定部８３は、ステップＳＤ２で検索されたタイムスロットＴＳA （図１４（ｂ）参照）を情報受信部８２に設定する。つぎに、ステップＳＤ５では、情報受信部８２は、アンテナ８１を介して受信した時分割多重化情報ＩTDM から、タイムスロット設定部８３により設定されたタイムスロットＴＳA の地点Ａ向け情報ＩA （図１２参照）を抽出し、これを情報表示部４８へ出力する。
【０１６９】
これにより、情報表示部４８には、地点Ａ向け情報ＩA が表示される。以後、移動体１０A に搭載されている情報受信装置８０では、図１５に示したステップＳＤ１〜ステップＳＤ５の処理が繰り返し実行される。
【０１７０】
一方、上述した移動体１０A に搭載された情報受信装置８０の動作に並行して、図１２に示した移動体１０B に搭載された情報受信装置８０の自位置算出部４３は、図１５に示したステップＳＤ１の処理を実行する。すなわち、ステップＳＤ１では、自位置算出部４３は、ＧＰＳ受信部４２の受信結果から移動体１０B の自位置（緯度、経度）を求め、これを自位置情報ＩＰB としてタイムスロット設定部８３へ出力する。
【０１７１】
これにより、ステップＳＤ２では、タイムスロット設定部８３は、自位置算出部４３からの自位置情報ＩＰB をキーとして、図１４（ｂ）に示した位置／タイムスロットテーブルＴ3 から移動体１０B の自位置に最も近い位置に対応するタイムスロットを検索する。この場合、位置／タイムスロットテーブルＴ3 内の地点Ｂ位置ＰB が移動体１０B の自位置に最も近いものとすると、タイムスロット設定部８３は、位置／タイムスロットテーブルＴ3 から、地点Ｂ位置ＰB に対応するタイムスロットＴＳB を検索した後、ステップＳＤ３へ進む。
【０１７２】
ステップＳＤ３では、タイムスロット設定部８３は、ステップＳＤ２で検索されたタイムスロット（検索タイムスロット）と、既に情報受信部８２に設定済みのタイムスロット（設定タイムスロット）とが一致するか否かを判断する。この場合、両者が不一致であるものとすると、タイムスロット設定部８３は、ステップＳＤ３の判断結果を「Ｎｏ」として、ステップＳＤ４へ進む。ステップＳＤ４では、タイムスロット設定部８３は、ステップＳＤ２で検索されたタイムスロットＴＳB （図１４（ｂ）参照）を情報受信部８２に設定する。
【０１７３】
つぎに、ステップＳＤ５では、情報受信部８２は、アンテナ８１を介して受信した時分割多重化情報ＩTDM から、タイムスロット設定部８３により設定されたタイムスロットＴＳB の地点Ｂ向け情報ＩB （図１２参照）を抽出し、これを情報表示部４８へ出力する。これにより、情報表示部４８には、地点Ｂ向け情報ＩB が表示される。以後、移動体１０B に搭載されている情報受信装置８０では、図１５に示したステップＳＤ１〜ステップＳＤ５の処理が繰り返し実行される。
【０１７４】
そして、図１２に示した移動中の移動体１０A が地点Ｂに近づくと、ステップＳＤ１では、自位置算出部４３は、ＧＰＳ受信部４２の受信結果から移動体１０A の自位置（緯度、経度）を求め、これを自位置情報ＩＰA としてタイムスロット設定部８３へ出力する。
【０１７５】
これにより、ステップＳＤ２では、タイムスロット設定部８３は、自位置算出部４３からの自位置情報ＩＰA をキーとして、図１４（ｂ）に示した位置／タイムスロットテーブルＴ3 から移動体１０A の自位置に最も近い位置に対応するタイムスロットを検索する。この場合、位置／タイムスロットテーブルＴ3 内の地点Ｂ位置ＰB が移動体１０A の自位置に最も近いものとすると、タイムスロット設定部８３は、位置／タイムスロットテーブルＴ3 から、地点Ｂ位置ＰB に対応するタイムスロットＴＳB を検索した後、ステップＳＤ３へ進む。
【０１７６】
ステップＳＤ３では、タイムスロット設定部８３は、ステップＳＤ２で検索された検索タイムスロット（＝タイムスロットＴＳB ）と、既に情報受信部８２に設定済みの設定タイムスロット（＝タイムスロットＴＳA ）とが一致するか否かを判断する。この場合、両者が不一致であるため、タイムスロット設定部８３は、ステップＳＤ３の判断結果を「Ｎｏ」として、ステップＳＤ４へ進む。ステップＳＤ４では、タイムスロット設定部８３は、ステップＳＤ２で検索されたタイムスロットＴＳB （図１４（ｂ）参照）を情報受信部８２に設定する。
【０１７７】
つぎに、ステップＳＤ５では、情報受信部８２は、アンテナ８１を介して受信した時分割多重化情報ＩTDM から、タイムスロット設定部８３により設定されたタイムスロットＴＳB の地点Ｂ向け情報ＩB （図１２参照）を抽出し、これを情報表示部４８へ出力する。これにより、情報表示部４８には、地点Ａ向け情報ＩA に代えて、地点Ｂ向け情報ＩB が表示される。
【０１７８】
さて、前述した動作例１では、図１４（ｂ）に示した位置／タイムスロットテーブルＴ3 で、タイムスロットＴＳA 等を地点Ａ位置ＰA 等に対応させる例について説明したが、タイムスロットＴＳA 等をエリアに対応させてもよい。以下では、この場合を動作例２として説明する。
【０１７９】
動作例２では、図１３に示した記憶部８４には、位置／タイムスロットテーブルＴ3 （図１４（ｂ）参照）に代えて、図１４（ｃ）に示したエリア／タイムスロットテーブルＴ4 が記憶されている。このエリア／タイムスロットテーブルＴ4 は、エリアとタイムスロットとの対応関係を定義するテーブルである。
【０１８０】
同図に示した例では、エリアＡA は、北緯３５±０．５度、東経１３５±０．５度という地点Ａ（北緯３５度、東経１３５度）が存在する領域であり、タイムスロットＴＳA に対応付けられている。エリアＡB は、北緯３５±０．５度、東経１３６±０．５度という地点Ｂ（北緯３５度、東経１３６度）が存在する領域であり、タイムスロットＴＳB に対応付けられている。エリアＡC は、北緯３５±０．５度、東経１３７±０．５度という地点Ｃ（北緯３５度、東経１３７度）が存在する領域であり、タイムスロットＴＳC に対応付けられている。
【０１８１】
つぎに、実施の形態４の動作例２について図１６に示したフローチャートを参照しつつ説明する。この場合、図１２に示した移動経路Ｒに沿って移動している移動体１０A が地点Ａの近傍に位置し、かつ移動体１０B が地点Ｂの近傍に位置しているものとする。この場合、ステップＳＥ１では、自位置算出部４３は、前述した動作例１と同様にして、ＧＰＳ受信部４２の受信結果から移動体１０A の自位置（緯度、経度）を求め、これを自位置情報ＩＰA としてタイムスロット設定部８３へ出力する。
【０１８２】
これにより、ステップＳＥ２では、タイムスロット設定部８３は、自位置算出部４３からの自位置情報ＩＰA をキーとして、図１４（ｃ）に示したエリア／タイムスロットテーブルＴ4 から移動体１０A が存在するエリアを検索する。この場合、エリア／タイムスロットテーブルＴ4 内のエリアＡA に移動体１０A が存在しているものとすると、タイムスロット設定部８３は、エリア／タイムスロットテーブルＴ4 からエリアＡA を検索した後、ステップＳＥ３へ進む。
【０１８３】
ステップＳＥ３では、タイムスロット設定部８３は、ステップＳＥ２で今回、検索されたエリア（検索エリア）と、前回、検索されたエリアとが一致するか否かを判断する。この場合、両者が不一致であるものとすると、タイムスロット設定部８３は、ステップＳＥ３の判断結果を「Ｎｏ」として、ステップＳＥ４へ進む。なお、前回の検索エリアと今回の検索エリアとが一致する場合、タイムスロット設定部８３は、ステップＳＥ３の判断結果を「Ｙｅｓ」とし、今回の検索エリアに対応するタイムスロットを新たに設定しない。
【０１８４】
この場合、ステップＳＥ４では、タイムスロット設定部８３は、ステップＳＥ２で今回、検索されたエリアＡA に対応するタイムスロットＴＳA （図１４（ｃ）参照）を情報受信部８２に設定する。つぎに、ステップＳＥ５では、情報受信部８２は、アンテナ８１を介して受信した時分割多重化情報ＩTDM から、タイムスロット設定部８３により設定されたタイムスロットＴＳA の地点Ａ向け情報ＩA （図１２参照）を抽出し、これを情報表示部４８へ出力する。
【０１８５】
これにより、情報表示部４８には、地点Ａ向け情報ＩA が表示される。以後、移動体１０A に搭載されている情報受信装置８０では、図１６に示したステップＳＥ１〜ステップＳＥ５の処理が繰り返し実行される。
【０１８６】
一方、上述した移動体１０A に搭載された情報受信装置８０の動作に並行して、図１２に示した移動体１０B に搭載された情報受信装置８０の自位置算出部４３は、ステップＳＥ１の処理を実行する。すなわち、ステップＳＥ１では、自位置算出部４３は、ＧＰＳ受信部４２の受信結果から移動体１０B の自位置（緯度、経度）を求め、これを自位置情報ＩＰB としてタイムスロット設定部８３へ出力する。
【０１８７】
これにより、ステップＳＥ２では、タイムスロット設定部８３は、自位置算出部４３からの自位置情報ＩＰB をキーとして、図１４（ｃ）に示したエリア／タイムスロットテーブルＴ4 から移動体１０B が存在するエリアを検索する。この場合、エリア／タイムスロットテーブルＴ4 内のエリアＡB に移動体１０B が存在しているものとすると、タイムスロット設定部８３は、エリア／タイムスロットテーブルＴ4 からエリアＡB を検索した後、ステップＳＥ３へ進む。
【０１８８】
ステップＳＥ３では、タイムスロット設定部８３は、ステップＳＥ２で今回、検索されたエリア（検索エリア）と、前回、検索されたエリアとが一致するか否かを判断し、この場合、判断結果を「Ｎｏ」として、ステップＳＥ４へ進む。ステップＳＥ４では、タイムスロット設定部８３は、ステップＳＥ２で今回、検索されたエリアＡB に対応するタイムスロットＴＳB （図１４（ｃ）参照）を情報受信部８２に設定する。
【０１８９】
つぎに、ステップＳＥ５では、情報受信部８２は、アンテナ８１を介して受信した時分割多重化情報ＩTDM から、タイムスロット設定部８３により設定されたタイムスロットＴＳB の地点Ｂ向け情報ＩB （図１２参照）を抽出し、これを情報表示部４８へ出力する。これにより、情報表示部４８には、地点Ｂ向け情報ＩB が表示される。以後、移動体１０B に搭載されている情報受信装置８０では、図１６に示したステップＳＥ１〜ステップＳＥ５の処理が繰り返し実行される。
【０１９０】
そして、図１２に示した移動中の移動体１０A が地点Ｂに近づくと、ステップＳＥ１では、自位置算出部４３は、ＧＰＳ受信部４２の受信結果から移動体１０A の自位置（緯度、経度）を求め、これを自位置情報ＩＰA としてタイムスロット設定部８３へ出力する。
【０１９１】
これにより、ステップＳＥ２では、タイムスロット設定部８３は、自位置算出部４３からの自位置情報ＩＰA をキーとして、図１４（ｃ）に示したエリア／タイムスロットテーブルＴ4 から移動体１０A が存在するエリアを検索する。この場合、エリア／タイムスロットテーブルＴ4 内のエリアＡB に移動体１０A が存在しているものとすると、タイムスロット設定部８３は、エリア／タイムスロットテーブルＴ4 から、エリアＡB を検索した後、ステップＳＥ３へ進む。
【０１９２】
ステップＳＥ３では、タイムスロット設定部８３は、ステップＳＥ２で今回、検索されたエリアＡB と、前回、検索されたエリアＡA とが一致するか否かを判断し、この場合、判断結果を「Ｎｏ」として、ステップＳＥ４へ進む。ステップＳＥ４では、タイムスロット設定部８３は、ステップＳＥ２で今回、検索されたエリアＡB に対応するタイムスロットＴＳB （図１４（ｃ）参照）を情報受信部８２に設定する。
【０１９３】
つぎに、ステップＳＥ５では、情報受信部８２は、アンテナ８１を介して受信した時分割多重化情報ＩTDM から、タイムスロット設定部８３により設定されたタイムスロットＴＳB の地点Ｂ向け情報ＩB （図１２参照）を抽出し、これを情報表示部４８へ出力する。これにより、情報表示部４８には、地点Ａ向け情報ＩA に代えて、地点Ｂ向け情報ＩB が表示される。
【０１９４】
以上説明したように、実施の形態４によれば、上空の通信衛星３０から時分割多重化情報ＩTDM を地表に向けて送信することで、従来のハイウェイラジオ等に比して、極めて広い範囲に亘って情報提供を行うことができ、情報送信局２０の設置数が１局で足りるため、コストを下げることができる。
【０１９５】
また、実施の形態４によれば、移動体（移動体１０A 等）の存在し得る地点の位置（地点Ａ位置ＰA 等）とタイムスロット（タイムスロットＴＳA 等）とをあらかじめ位置／タイムスロットテーブルＴ3 により対応付けるとともに、間接的に、移動体の自位置と提供すべき情報（地点Ａ向け情報ＩA 等）とを対応付けて、移動体の移動に伴って、時分割多重化情報ＩTDM から抽出される情報を自動的に変化させるようにしたので、従来のオンデマンド型の情報提供システムに比して、利用者の使い勝手が格段に良くなるため、情報提供サービスの質を向上させることができる。
【０１９６】
また、実施の形態４によれば、移動体（移動体１０A 等）の存在し得るエリア（エリアＡA 等）とタイムスロット（タイムスロットＴＳA 等）とをあらかじめエリア／タイムスロットテーブルＴ4 により対応付けるとともに、間接的に、移動体の自位置と提供すべき情報（地点Ａ向け情報ＩA 等）とを対応付けて、移動体の移動に伴って、時分割多重化情報ＩTDM から抽出される情報を自動的に変化させるようにしたので、従来のオンデマンド型の情報提供システムに比して、利用者の使い勝手が格段に良くなるため、情報提供サービスの質を向上させることができる。
【０１９７】
（実施の形態５）
さて、前述した実施の形態４では、図１２に示した時分割多重化装置７０により、時分割多重化方式（ＴＤＭ方式）により複数の情報を時分割多重化する例について説明したが、この時分割多重化方式に代えて、時分割多元接続（ＴＤＭＡ：Time Division Multiple Access）方式により、複数の情報を空間上で多重化してもよい。
【０１９８】
また、前述した実施の形態４では、図１２に示したタイムスロットＴＳA 、タイムスロットＴＳB およびタイムスロットＴＳC に移動体の位置に関連する情報（地点Ａ向け情報ＩA 等）を対応付けた例について説明したが、この位置に関連する情報以外の情報を対応付けるようにしてもよい。以下では、これらの場合を実施の形態５として説明する。
【０１９９】
図１７は、本発明にかかる実施の形態５の構成を示す図である。この図において、図１２の各部に対応する部分には同一の符号を付けその説明を省略する。図１７においては、図１２に示した情報送信局２０に代えて、情報送信局２０A 、情報送信局２０B および情報送信局２０C が設けられている。すなわち、実施の形態４では、時分割多重化方式が採用されているため情報送信局が１局で足りるのに対して、実施の形態５では、時分割多元接続方式を採用すべく情報送信局が３局必要となる。
【０２００】
また、実施の形態５においては、図１２に示した地点Ａ向け情報ＩA 、地点Ｂ向け情報ＩB および地点Ｃ向け情報ＩC に代えて、低速移動体向け情報ＪA 、中速移動体向け情報ＪB および高速移動体向け情報ＪC がタイムスロットＴＳA 、タイムスロットＴＳB およびタイムスロットＴＳC（図１４（ａ）参照）に対応付けられている。
【０２０１】
これらの低速移動体向け情報ＪA 、中速移動体向け情報ＪB および高速移動体向け情報ＪC は、それぞれ異種の情報であり、移動体の速度区分に対応している。この速度区分としては、図１９に示した低速度（０ｋｍ／時以上４０ｋｍ／時未満）、中速度（４０ｋｍ／時以上６０ｋｍ／時未満）および高速度（６０ｋｍ／時以上）がある。
【０２０２】
低速移動体向け情報ＪA は、低速度で移動している移動体（低速移動体）向けの情報であり、たとえば、クラシック音楽（図１９参照）である。中速移動体向け情報ＪB は、中速度で移動している移動体（中速移動体）向けの情報であり、たとえば、ジャズ音楽（図１９参照）である。高速移動体向け情報ＪC は、高速度で移動している移動体（高速移動体）向けの情報であり、たとえば、ロック音楽（図１９参照）である。
【０２０３】
情報送信局２０A に設置された処理装置７０A は、低速移動体向け情報ＪA をタイムスロットＴＳA （図１４（ａ）参照）に割り当て、これを被時分割多元接続情報ＪA’として送信装置２２A へ出力する。送信装置２２A は、パラボラアンテナ２３A を介して被時分割多元接続情報ＪA’を通信衛星３０へ向けて送信する。
【０２０４】
情報送信局２０B に設置された処理装置７０B は、中速移動体向け情報ＪB をタイムスロットＴＳB （図１４（ａ）参照）に割り当て、これを被時分割多元接続情報ＪB’として送信装置２２B へ出力する。送信装置２２B は、パラボラアンテナ２３B を介して被時分割多元接続情報ＪB’を通信衛星３０へ向けて送信する。
【０２０５】
情報送信局２０C に設置された処理装置７０C は、高速移動体向け情報ＪC をタイムスロットＴＳC （図１４（ａ）参照）に割り当て、これを被時分割多元接続情報ＪC’として送信装置２２C へ出力する。送信装置２２C は、パラボラアンテナ２３C を介して被時分割多元接続情報ＪC’を通信衛星３０へ向けて送信する。
【０２０６】
被時分割多元接続情報ＪA’、ＪB’およびＪC’は、空間上で時分割多元接続され、通信衛星３０により中継される。すなわち、通信衛星３０からは、被時分割多元接続情報ＪA’、ＪB’およびＪC’が多元接続（多重化）された時分割多元接続情報ＪTDMA が地表へ向けて送信される。
【０２０７】
ここで、時分割多元接続情報ＪTDMAと前述した時分割多重化情報ＩTDM （図１２参照）とは、空間上で多重化されるか、または時分割多重化装置７０（図１２参照）で多重化されるかという多重化の場所が相違している。また、処理装置７０A 、処理装置７０B および処理装置７０C の相互間では、時刻同期がとられている。
【０２０８】
また、実施の形態５では、図１７に示した移動体１０A および移動体１０B のそれぞれには、図１３に示した情報受信装置８０に代えて、図１８に示した情報受信装置９０が搭載されている。図１８においては、図１３の各部に対応する部分には同一の符号を付ける。
【０２０９】
図１８に示した情報受信装置９０は、移動体（たとえば、移動体１０A 、移動体１０B ）の移動速度（走行速度）を検出する速度検出機能と、通信衛星３０からの時分割多元接続情報ＪTDMAを受信する受信機能と、時分割多元接続情報ＪTDMAから当該移動体の移動速度に対応する情報を抽出する情報抽出機能と、抽出された情報を表示する表示機能とを備えている。
【０２１０】
この情報受信装置９０において、速度検出部９１は、移動体の移動速度を検出する。速度区分検索部９２は、速度検出部９１により検出された移動速度をキーとして、記憶部９３に記憶されているテーブルＴ5（図１９参照）から、当該速度が属する速度区分を検索し、検索結果をタイムスロット設定部９４へ渡す。
【０２１１】
図１９に示したテーブルＴ5 は、移動体種別、速度区分／速度範囲、タイムスロットおよび提供情報／コンテンツの対応関係を定義するテーブルである。同図に示した例では、移動体種別として、低速移動体、中速移動体および高速移動体が定義されている。速度区分／速度範囲としては、低速度／０以上４０未満、中速度／４０以上６０未満および高速度／６０以上が定義されている。
【０２１２】
また、タイムスロットとしては、図１７に示したタイムスロットＴＳA 、タイムスロットＴＳB およびタイムスロットＴＳC が定義されている。また、提供情報／コンテンツとしては、図１７に示した低速移動体向け情報ＪA ／クラシック音楽、中速移動体向け情報ＪB ／ジャズ音楽および高速移動体向け情報ＪC ／ロック音楽が定義されている。
【０２１３】
タイムスロット設定部９４は、速度区分検索部９２により検索された速度区分に対応する、図１９に示したテーブルＴ5 のタイムスロットを情報受信部８２に設定する。情報受信部８２は、時分割多元接続情報ＪTDMAから、タイムスロット設定部９４により設定されたタイムスロットの情報（たとえば、低速移動体向け情報ＪA 、中速移動体向け情報ＪB または高速移動体向け情報ＪC ）を抽出する。情報表示部４８は、情報受信部８２により抽出された情報のコンテンツ名、再生時間等を表示するとともに、音楽コンテンツを再生する。
【０２１４】
つぎに、実施の形態５の動作について図２０に示したフローチャートを参照しつつ説明する。まず、図１７に示した低速移動体向け情報ＪA が処理装置７０A に入力されると、処理装置７０A は、低速移動体向け情報ＪA をタイムスロットＴＳA に割り当てることにより、被時分割多元接続情報ＪA’を送信装置２２A へ出力する。これにより、送信装置２２A は、被時分割多元接続情報ＪA’をパラボラアンテナ２３A を介して通信衛星３０へ向けて送信する。
【０２１５】
また、中速移動体向け情報ＪB が処理装置７０B に入力されると、処理装置７０B は、中速移動体向け情報ＪB をタイムスロットＴＳB に割り当てることにより、被時分割多元接続情報ＪB’を送信装置２２B へ出力する。これにより、送信装置２２B は、被時分割多元接続情報ＪB’をパラボラアンテナ２３B を介して通信衛星３０へ向けて送信する。
【０２１６】
また、高速移動体向け情報ＪC が処理装置７０C に入力されると、処理装置７０C は、高速移動体向け情報ＪC をタイムスロットＴＳC に割り当てることにより、被時分割多元接続情報ＪC’を送信装置２２C へ出力する。これにより、送信装置２２C は、被時分割多元接続情報ＪC’をパラボラアンテナ２３C を介して通信衛星３０へ向けて送信する。
【０２１７】
そして、通信衛星３０へ向けて送信された被時分割多元接続情報ＪA’、ＪB’およびＪC’は、空間上で時分割多元接続され、時分割多元接続情報ＪTDMAとして通信衛星３０により中継される。これにより、時分割多元接続情報ＪTDMAは、地表へ送信される。
【０２１８】
このとき、同図に示した移動経路Ｒに沿って移動している移動体１０A が２０ｋｍ／時の移動速度で移動しており、かつ移動体１０B が８０ｋｍ／時の移動速度で移動しているものとする。この場合、ステップＳＦ１では、速度検出部９１は、移動体１０A の移動速度（２０ｋｍ／時）を検出し、これを速度区分検索部９２へ渡す。
【０２１９】
これにより、ステップＳＦ２では、速度区分検索部９２は、速度検出部９１により検出された移動速度（２０ｋｍ／時）をキーとして、図１９に示したテーブルＴ5 から、移動体１０A に関する速度区分を検索する。この場合、速度区分検索部９２は、テーブルＴ5 から速度区分として「低速度」を検索し、これをタイムスロット設定部９４へ渡す。
【０２２０】
ステップＳＦ３では、タイムスロット設定部９４は、今回、速度区分検索部９２により検索された速度区分と、前回、検索された速度区分とが一致するか否かを判断する。この場合、両者が不一致であるものとすると、タイムスロット設定部９４は、ステップＳＦ３の判断結果を「Ｎｏ」として、ステップＳＦ４へ進む。なお、前回の速度区分と今回の速度区分とが一致する場合、タイムスロット設定部９４は、ステップＳＦ３の判断結果を「Ｙｅｓ」とし、今回、速度区分検索部９２により検索された速度区分に対応するタイムスロットを新たに設定しない。
【０２２１】
この場合、ステップＳＦ４では、タイムスロット設定部９４は、図１９に示したテーブルＴ5 を参照することで、速度区分検索部９２により検索された今回の速度区分（「低速度」）に対応するタイムスロットＴＳA （図１９参照）を情報受信部８２に設定する。つぎに、ステップＳＦ５では、情報受信部８２は、アンテナ８１を介して受信した時分割多元接続情報ＪTDMAから、タイムスロット設定部９４により設定されたタイムスロットＴＳA の低速移動体向け情報ＪA （図１７参照）を抽出し、これを情報表示部４８へ出力する。
【０２２２】
これにより、情報表示部４８では、低速移動体向け情報ＪA のコンテンツ名（クラシック音楽の名称）や再生時間を表示するとともに、低速移動体向け情報ＪA を再生する。これにより、移動体１０A では、低速度走行に適した雰囲気を作り出すためのクラシック音楽が流れる。
【０２２３】
一方、上述した移動体１０A に搭載された情報受信装置９０の動作に並行して、図１７に示した移動体１０B に搭載された情報受信装置９０の速度検出部９１は、ステップＳＦ１の処理を実行する。すなわち、ステップＳＦ１では、速度検出部９１により移動体１０B の移動速度（８０ｋｍ／時）が検出される。これにより、ステップＳＦ２では、速度区分検索部９２は、速度検出部９１により検出された移動速度（８０ｋｍ／時）をキーとして、図１９に示したテーブルＴ5 から、移動体１０B に関する速度区分として「高速度」を検索し、これをタイムスロット設定部９４へ渡す。
【０２２４】
ステップＳＦ３では、タイムスロット設定部９４は、判断結果を「Ｎｏ」として、ステップＳＦ４へ進む。ステップＳＦ４では、タイムスロット設定部９４は、図１９に示したテーブルＴ5 を参照することで、速度区分検索部９２により検索された今回の速度区分（「高速度」）に対応するタイムスロットＴＳC （図１９参照）を情報受信部８２に設定する。
【０２２５】
つぎに、ステップＳＦ５では、情報受信部８２は、アンテナ８１を介して受信した時分割多元接続情報ＪTDMAから、タイムスロット設定部９４により設定されたタイムスロットＴＳC の高速移動体向け情報ＪC （図１７参照）を抽出し、これを情報表示部４８へ出力する。
【０２２６】
これにより、情報表示部４８では、高速移動体向け情報ＪC のコンテンツ名（ロック音楽の名称）や再生時間を表示するとともに、高速移動体向け情報ＪC を再生する。これにより、移動体１０B では、高速度走行の雰囲気を盛り上げるためのテンポが速いロック音楽が流れる。
【０２２７】
そして、移動体１０A が加速されることにより、移動速度が２０ｋｍ／時から５０ｋｍ／時になった場合には、上述した動作と同様にして、図１９に示した速度区分が「低速度」から「中速度」に変わるため、タイムスロット設定部９４は、「中速度」に対応するタイムスロットＴＳB を情報受信部８２に新たに設定する。この場合、情報受信部８２は、アンテナ８１を介して受信した時分割多元接続情報ＪTDMAから、タイムスロット設定部９４により設定されたタイムスロットＴＳB の中速移動体向け情報ＪB （図１７参照）を抽出し、これを情報表示部４８へ出力する。
【０２２８】
これにより、情報表示部４８では、低速移動体向け情報ＪA に代えて中速移動体向け情報ＪB のコンテンツ名（ジャズ音楽の名称）や再生時間を表示するとともに、中速移動体向け情報ＪB を再生する。これにより、移動体１０A では、クラシック音楽に代えて、中速度走行の雰囲気を優雅に演出するためのジャズ音楽が流れる。
【０２２９】
以上説明したように、実施の形態５によれば、速度区分とタイムスロットとをあらかじめテーブルＴ5 により対応付けて、移動体の移動速度の変化に伴って、時分割多元接続情報ＪTDMAから抽出される情報（低速移動体向け情報ＪA 等）を自動的に変化させるようにしたので、従来のオンデマンド型の情報提供システムに比して、利用者の使い勝手が格段に良くなるため、情報提供サービスの質を向上させることができる。
【０２３０】
（実施の形態６）
さて、前述した実施の形態５では、時分割多元接続（ＴＤＭＡ）方式を採用した例について説明したが、これに代えて、実施の形態３で説明した符号分割多元接続（ＣＤＭＡ）方式（図９参照）を採用してもよい。以下では、この場合を実施の形態６として説明する。
【０２３１】
図２１は、本発明にかかる実施の形態６の構成を示す図である。この図において、図９および図１７の各部に対応する部分には同一の符号を付けその説明を省略する。図２１においては、図１７に示した処理装置７０A 〜７０C に代えて処理装置２１A 〜２１C （図９参照）が設けられている。
【０２３２】
処理装置２１A は、低速移動体向け情報ＪA とＰＮコードＣA とを乗算することにより、低速移動体向け情報ＪA をスペクトラム拡散させた結果を被符号分割多元接続情報ＪA’’として送信装置２２A へ出力する装置である。送信装置２２A は、パラボラアンテナ２３A を介して被符号分割多元接続情報ＪA’’を通信衛星３０へ向けて送信する。
【０２３３】
処理装置２１B は、中速移動体向け情報ＪB とＰＮコードＣB とを乗算することにより、中速移動体向け情報ＪB をスペクトラム拡散させた結果を被符号分割多元接続情報ＪB’’として送信装置２２B へ出力する装置である。送信装置２２B は、パラボラアンテナ２３B を介して被符号分割多元接続情報ＪB’’を通信衛星３０へ向けて送信する。
【０２３４】
処理装置２１C は、高速移動体向け情報ＪC とＰＮコードＣC とを乗算することにより、高速移動体向け情報ＪC をスペクトラム拡散させた結果を被符号分割多元接続情報ＪC’’として送信装置２２C へ出力する装置である。送信装置２２C は、パラボラアンテナ２３C を介して被符号分割多元接続情報ＪC’’を通信衛星３０へ向けて送信する。
【０２３５】
被符号分割多元接続情報ＪA’’、ＪB’’およびＪC’’は、空間上で符号分割多元接続され、通信衛星３０により中継される。すなわち、通信衛星３０からは、被符号分割多元接続情報ＪA’’、ＪB’’およびＪC’’が多元接続（多重化）された符号分割多元接続情報ＪCDMA が地表へ向けて送信される。
【０２３６】
また、実施の形態６では、図２１に示した移動体１０A および移動体１０B のそれぞれには、図１８に示した情報受信装置９０に代えて、図２２に示した情報受信装置１００が搭載されている。図２２においては、図１８の各部に対応する部分には同一の符号を付ける。
【０２３７】
図２２に示した情報受信装置１００は、移動体（たとえば、移動体１０A 、移動体１０B ）の移動速度（走行速度）を検出する速度検出機能と、通信衛星３０からの符号分割多元接続情報ＪCDMAを受信する受信機能と、上記移動速度に基づいて、符号分割多元接続情報ＪCDMAから当該移動体の速度に対応する情報を抽出する情報抽出機能と、抽出された情報を表示する表示機能とを備えている。
【０２３８】
この情報受信装置１００において、記憶部１０１には、図２３に示したテーブルＴ6 が記憶されている。同図においては、図１９の各部に対応する部分には同一の符号、名称を付ける。このテーブルＴ6 では、図１９に示したタイムスロット（タイムスロットＴＳA 、タイムスロットＴＳB およびタイムスロットＴＳC ）に代えて、ＰＮコード（ＰＮコードＣA 、ＰＮコードＣB およびＰＮコードＣC ）が定義されている。このテーブルＴ6 は、移動体種別、速度区分／速度範囲、ＰＮコードおよび提供情報／コンテンツの対応関係を定義するテーブルである。
【０２３９】
図２２に戻り、速度区分検索部９２は、速度検出部９１により検出された移動速度をキーとして、記憶部１０１に記憶されているテーブルＴ6（図２３参照）から、当該速度が属する速度区分を検索し、検索結果をＰＮコード設定部１０４へ渡す。
【０２４０】
ＰＮコード設定部１０４は、速度区分検索部９２により検索された速度区分に対応する、図２３に示したテーブルＴ6 のＰＮコードを情報受信部１０３に設定する。情報受信部１０３は、受信した符号分割多元接続情報ＪCDMAと、ＰＮコード設定部１０４により設定されたＰＮコードとの相関をとることにより、符号分割多元接続情報ＪCDMAから、情報（たとえば、低速移動体向け情報ＪA 、中速移動体向け情報ＪB または高速移動体向け情報ＪC ）を抽出する。
【０２４１】
つぎに、実施の形態６の動作について図２４に示したフローチャートを参照しつつ説明する。まず、図２１に示した低速移動体向け情報ＪA が処理装置２１A に入力されると、処理装置２１A は、低速移動体向け情報ＪA およびＰＮコードＣA を用いて被符号分割多元接続情報ＪA’’を生成した後、これを送信装置２２A へ出力する。これにより、送信装置２２A は、被符号分割多元接続情報ＪA’’をパラボラアンテナ２３A を介して通信衛星３０へ向けて送信する。
【０２４２】
また、中速移動体向け情報ＪB が処理装置２１B に入力されると、処理装置２１B は、中速移動体向け情報ＪB およびＰＮコードＣB を用いて被符号分割多元接続情報ＪB’’を生成した後、これを送信装置２２B へ出力する。これにより、送信装置２２B は、被符号分割多元接続情報ＪB’’をパラボラアンテナ２３B を介して通信衛星３０へ向けて送信する。
【０２４３】
また、高速移動体向け情報ＪC が処理装置２１C に入力されると、処理装置２１C は、高速移動体向け情報ＪC およびＰＮコードＣC を用いて被符号分割多元接続情報ＪC’’を生成した後、これを送信装置２２C へ出力する。これにより、送信装置２２C は、被符号分割多元接続情報ＪC’’をパラボラアンテナ２３C を介して通信衛星３０へ向けて送信する。
【０２４４】
そして、通信衛星３０へ向けて送信された被符号分割多元接続情報ＪA’’、ＪB’’およびＪC’’は、空間上で符号分割多元接続され、符号分割多元接続情報ＪCDMAとして通信衛星３０により中継される。これにより、符号分割多元接続情報ＪCDMAは、通信衛星３０により地表へ送信される。
【０２４５】
このとき、図２１に示した移動経路Ｒに沿って移動している移動体１０A が２０ｋｍ／時の移動速度で移動しており、かつ移動体１０B が８０ｋｍ／時の移動速度で移動しているものとする。この場合、ステップＳＧ１では、速度検出部９１により移動体１０A の移動速度（２０ｋｍ／時）が検出される。
【０２４６】
これにより、ステップＳＧ２では、速度区分検索部９２は、速度検出部９１により検出された移動速度（２０ｋｍ／時）をキーとして、図２３に示したテーブルＴ6 から、移動体１０A に関する速度区分を検索する。この場合、速度区分検索部９２は、テーブルＴ6 から速度区分として「低速度」を検索し、これをＰＮコード設定部１０４へ渡す。
【０２４７】
ステップＳＧ３では、ＰＮコード設定部１０４は、今回、速度区分検索部９２により検索された速度区分と、前回、検索された速度区分とが一致するか否かを判断する。この場合、両者が不一致であるものとすると、ＰＮコード設定部１０４は、ステップＳＧ３の判断結果を「Ｎｏ」として、ステップＳＧ４へ進む。
【０２４８】
なお、前回、検索された速度区分と今回、検索された速度区分とが一致する場合、ＰＮコード設定部１０４は、ステップＳＧ３の判断結果を「Ｙｅｓ」とし、今回、速度区分検索部９２により検索された速度区分に対応するＰＮコードを新たに設定しない。
【０２４９】
この場合、ステップＳＧ４では、ＰＮコード設定部１０４は、図２３に示したテーブルＴ6 を参照することで、速度区分検索部９２により検索された今回の速度区分（「低速度」）に対応するＰＮコードＣA （図２３参照）を情報受信部１０３に設定する。
【０２５０】
つぎに、ステップＳＧ５では、情報受信部１０３は、アンテナ１０２を介して受信した符号分割多元接続情報ＪCDMAとＰＮコードＣA との相関をとることにより、符号分割多元接続情報ＪCDMAから低速移動体向け情報ＪA （図２１参照）を抽出し、これを情報表示部４８へ出力する。これにより、情報表示部４８では、実施の形態５と同様にして、低速移動体向け情報ＪA のコンテンツ名（クラシック音楽の名称）や再生時間を表示するとともに、低速移動体向け情報ＪA を再生する。
【０２５１】
一方、上述した移動体１０A に搭載された情報受信装置１００の動作に並行して、図２１に示した移動体１０B に搭載された情報受信装置１００の速度検出部９１は、ステップＳＧ１の処理を実行する。すなわち、ステップＳＧ１では、速度検出部９１により移動体１０B の移動速度（８０ｋｍ／時）が検出される。これにより、ステップＳＧ２では、速度区分検索部９２は、速度検出部９１により検出された移動速度（８０ｋｍ／時）をキーとして、図２３に示したテーブルＴ6 から、移動体１０B に関する速度区分として「高速度」を検索し、これをＰＮコード設定部１０４へ渡す。
【０２５２】
ステップＳＧ３では、ＰＮコード設定部１０４は、判断結果を「Ｎｏ」として、ステップＳＧ４へ進む。ステップＳＧ４では、ＰＮコード設定部１０４は、図２３に示したテーブルＴ6 を参照することで、速度区分検索部９２により検索された今回の速度区分（「高速度」）に対応するＰＮコードＣC （図２３参照）を情報受信部１０３に設定する。
【０２５３】
つぎに、ステップＳＧ５では、情報受信部１０３は、アンテナ１０２を介して受信した符号分割多元接続情報ＪCDMAとＰＮコードＣC との相関をとることにより、符号分割多元接続情報ＪCDMAから高速移動体向け情報ＪC （図２１参照）を抽出し、これを情報表示部４８へ出力する。これにより、情報表示部４８では、実施の形態５と同様にして、高速移動体向け情報ＪC のコンテンツ名（ロック音楽の名称）や再生時間を表示するとともに、高速移動体向け情報ＪC を再生する。
【０２５４】
そして、移動体１０A が加速されることにより、移動速度が２０ｋｍ／時から５０ｋｍ／時になった場合には、上述した動作と同様にして、図２３に示した速度区分が「低速度」から「中速度」に変わるため、ＰＮコード設定部１０４は、「中速度」に対応するＰＮコードＣB を情報受信部１０３に新たに設定する。
【０２５５】
この場合、情報受信部１０３は、アンテナ１０２を介して受信した符号分割多元接続情報ＪCDMAとＰＮコードＣB との相関をとることにより、符号分割多元接続情報ＪCDMAから中速移動体向け情報ＪB （図２１参照）を抽出し、これを情報表示部４８へ出力する。これにより、情報表示部４８では、実施の形態５と同様にして、低速移動体向け情報ＪA に代えて中速移動体向け情報ＪB のコンテンツ名（ジャズ音楽の名称）や再生時間を表示するとともに、中速移動体向け情報ＪB を再生する。
【０２５６】
以上説明したように、実施の形態６によれば、速度区分とＰＮコードとをあらかじめテーブルＴ6 により対応付けて、移動体の移動速度の変化に伴って、符号分割多元接続情報ＪCDMAから抽出される情報（低速移動体向け情報ＪA 等）を自動的に変化させるようにしたので、従来のオンデマンド型の情報提供システムに比して、利用者の使い勝手が格段に良くなるため、情報提供サービスの質を向上させることができる。
【０２５７】
（実施の形態７）
さて、前述した実施の形態１の動作例２および実施の形態４の動作例２では、図４（ｂ）に示したエリア／ＰＮコードテーブルＴ2 および図１４（ｃ）に示したエリア／タイムスロットテーブルＴ4 のそれぞれにエリアＡA 〜ＡC を定義した例について説明したが、これらのエリアＡA 〜ＡC に代えて、図２５に示したエリア＃Ａ〜エリア＃Ｄを定義したテーブル（図示略）を用いてもよい。このテーブル（図示略）では、エリア＃Ａ〜エリア＃Ｄに、ＰＮコードＣA 〜ＣD （またはタイムスロットＴＳA 〜タイムスロットＴＳD ）が対応付けられている。
【０２５８】
図２５に示した日本地図ＭJP において、エリア＃Ａ〜エリア＃Ｄのそれぞれは、東側から西側にかけて並べられ、かつ一部が重複するようにして設定されている。すなわち、エリア＃Ａとエリア＃Ｂとが重複するエリアは、重複エリア＃ＡＢとされており、エリア＃Ｂとエリア＃Ｃとが重複するエリアは、重複エリア＃ＢＣとされている。
【０２５９】
同様にして、エリア＃Ｃとエリア＃Ｄとが重複するエリアは、重複エリア＃ＣＤとされている。なお、実施の形態７の基本的な構成は、図１に示した実施の形態１の構成または図１２に示した実施の形態４の構成と同一である。
【０２６０】
つぎに、実施の形態７の動作について図２６に示したフローチャートを参照しつつ説明する。この場合、図１に示した移動中の移動体１０A が図２５に示したエリア＃Ａに存在しているものとする。この場合、移動体１０A に搭載された図３に示した情報受信装置４０のＧＰＳ受信部４２により、アンテナ４１を介して４個のＧＰＳ衛星（図示略）から電波が受信されると、自位置算出部４３は、図２６に示したステップＳＨ１へ進む。
【０２６１】
ステップＳＨ１では、自位置算出部４３は、前述した実施の形態１と同様にして、ＧＰＳ受信部４２の受信結果から移動体１０A の自位置（緯度、経度）を求め、これを自位置情報ＩＰA としてＰＮコード設定部４６へ出力する。これにより、ステップＳＨ２では、ＰＮコード設定部４６は、自位置算出部４３からの自位置情報ＩＰA をキーとして、上述したテーブル（図示略）から移動体１０A が存在するエリアを検索する。
【０２６２】
この場合、図２５に示したエリア＃Ａに移動体１０A が存在しているため、ＰＮコード設定部４６は、テーブルからエリア＃Ａを検索した後、ステップＳＨ３へ進む。ステップＳＨ３では、ＰＮコード設定部４６は、移動体１０A が存在しているエリアがテーブルの中に存在するか否かを判断し、この場合、判断結果を「Ｙｅｓ」としてステップＳＨ４へ進む。
【０２６３】
ステップＳＨ４では、ＰＮコード設定部４６は、移動体１０A が存在しているエリアがテーブルの中に複数、存在するか否かを判断し、この場合、判断結果を「Ｎｏ」としてステップＳＨ６へ進む。ステップＳＨ６では、ＰＮコード設定部４６は、ステップＳＨ２で、今回、検索されたエリアと、前回、検索されたエリアとが一致するか否かを判断する。
【０２６４】
この場合、両者が不一致であるものとすると、ＰＮコード設定部４６は、ステップＳＨ６の判断結果を「Ｎｏ」として、ステップＳＨ７へ進む。なお、前回のエリアと今回のエリアとが一致する場合、ＰＮコード設定部４６は、ステップＳＨ６の判断結果を「Ｙｅｓ」とし、情報受信部４５に今回のエリアに対応するＰＮコードを新たに設定しない。
【０２６５】
この場合、ステップＳＨ７では、ＰＮコード設定部４６は、多重化方式が時分割多重化（ＴＤＭ）方式または符号分割多重化（ＣＤＭ）方式のいずれかであるかを判断する。具体的には、ＰＮコード設定部４６は、あらかじめ設定される多重化方式（時分割多重化（ＴＤＭ）方式または符号分割多重化（ＣＤＭ）方式）を確認することにより、ステップＳＨ７の判断を行う。この場合、ＰＮコード設定部４６は、多重化方式が符号分割多重化（ＣＤＭ）方式であるものとし、ステップＳＨ８へ進む。
【０２６６】
ステップＳＨ８では、ＰＮコード設定部４６は、ステップＳＨ２で今回、検索されたエリア＃Ａに対応するＰＮコードＣA （図２５参照）を情報受信部４５に設定する。つぎに、ステップＳＨ１０では、情報受信部４５は、アンテナ４４を介して受信した符号分割多重化情報ＩCDM と、ＰＮコード設定部４６により設定されたＰＮコードＣA との相関をとることにより、符号分割多重化情報ＩCDM から地点Ａ向け情報ＩA （図１参照）を抽出し、これを情報表示部４８へ出力する。
【０２６７】
これにより、情報表示部４８には、地点Ａ向け情報ＩA が表示される。以後、移動体１０A に搭載されている情報受信装置４０では、図２６に示したステップＳＨ１〜ステップＳＨ１０の処理が繰り返し実行される。
【０２６８】
そして、図１に示した移動中の移動体１０A が図２５に示した重複エリア＃ＡＢに存在すると、ステップＳＨ２では、ＰＮコード設定部４６は、自位置算出部４３からの自位置情報ＩＰA をキーとして、上述したテーブル（図示略）から移動体１０A が存在するエリアを検索する。この場合、図２５に示したエリア＃Ａおよびエリア＃Ｂの双方に移動体１０A が存在しているため、ＰＮコード設定部４６は、テーブルからエリア＃Ａおよびエリア＃Ｂを検索した後、ステップＳＨ３へ進む。
【０２６９】
ステップＳＨ３では、ＰＮコード設定部４６は、判断結果を「Ｙｅｓ」としてステップＳＨ４へ進む。ステップＳＨ４では、ＰＮコード設定部４６は、移動体１０A が存在しているエリアがテーブルの中に二つ（この場合、エリア＃Ａおよびエリア＃Ｂ）存在しているため、判断結果を「Ｙｅｓ」としてステップＳＨ５へ進む。
【０２７０】
ステップＳＨ５では、ＰＮコード設定部４６は、図２５に示したエリア＃Ａおよびエリア＃Ｂのうち、移動体１０A の自位置とエリア中心との距離が最短のエリアを選択する。この場合、移動体１０A の自位置とエリア＃Ｂのエリア中心ＯB との距離が、同自位置とエリア＃Ａのエリア中心ＯA との距離より短いものとすると、ＰＮコード設定部４６は、エリア＃Ｂを選択した後、ステップＳＨ６へ進む。
【０２７１】
ステップＳＨ６では、ＰＮコード設定部４６は、ステップＳＨ５で選択されたエリア＃Ｂと、前回のエリア＃Ａとが一致するか否かを判断する。この場合、両者が不一致であるため、ＰＮコード設定部４６は、ステップＳＨ６の判断結果を「Ｎｏ」として、ステップＳＨ７へ進む。ステップＳＨ７では、ＰＮコード設定部４６は、多重化方式が符号分割多重化（ＣＤＭ）方式であるものとし、ステップＳＨ８へ進む。
【０２７２】
ステップＳＨ８では、ＰＮコード設定部４６は、エリア＃Ｂに対応するＰＮコードＣB （図２５参照）を情報受信部４５に設定する。つぎに、ステップＳＨ１０では、情報受信部４５は、アンテナ４４を介して受信した符号分割多重化情報ＩCDM と、ＰＮコード設定部４６により設定されたＰＮコードＣB との相関をとることにより、符号分割多重化情報ＩCDM から地点Ｂ向け情報ＩB （図１参照）を抽出し、これを情報表示部４８へ出力する。これにより、情報表示部４８には、地点Ａ向け情報ＩA に代えて地点Ｂ向け情報ＩB が表示される。
【０２７３】
なお、図１に示した移動体１０A が図２５に示したエリア＃Ａ〜エリア＃Ｄの外に存在している場合、ＰＮコード設定部４６は、ステップＳＨ３の判断結果を「Ｎｏ」として、ステップＳＨ５へ進む。ステップＳＨ５では、ＰＮコード設定部４６は、図２５に示したエリア＃Ａ〜エリア＃Ｄのうち、移動体１０A の自位置とエリア中心との距離が最短のエリアを選択する。
【０２７４】
この場合、移動体１０A の自位置とエリア＃Ｂのエリア中心ＯB との距離が最短であるものとすると、ＰＮコード設定部４６は、エリア＃Ｂを選択した後、ステップＳＨ６へ進む。以後、上述した動作を経て、エリア外に存在している移動体１０A の情報受信装置４０では、地点Ｂ向け情報ＩB を受信した後、これを表示する。
【０２７５】
つぎに、図１２に示した移動中の移動体１０A が図２５に示したエリア＃Ａに存在している場合について説明する。この場合、移動体１０A に搭載された図１３に示した情報受信装置８０のＧＰＳ受信部４２により、アンテナ４１を介して４個のＧＰＳ衛星（図示略）から電波が受信されると、自位置算出部４３は、図２６に示したステップＳＨ１へ進む。
【０２７６】
ステップＳＨ１では、自位置算出部４３は、前述した実施の形態４と同様にして、ＧＰＳ受信部４２の受信結果から移動体１０A の自位置（緯度、経度）を求め、これを自位置情報ＩＰA としてタイムスロット設定部８３へ出力する。
【０２７７】
これにより、ステップＳＨ２では、タイムスロット設定部８３は、自位置算出部４３からの自位置情報ＩＰA をキーとして、前述したテーブル（図示略）から移動体１０A が存在するエリアを検索する。この場合、図２５に示したエリア＃Ａに移動体１０A が存在しているため、タイムスロット設定部８３は、テーブルからエリア＃Ａを検索した後、ステップＳＨ３へ進む。
【０２７８】
ステップＳＨ３では、タイムスロット設定部８３は、移動体１０A が存在しているエリアがテーブルの中に存在するか否かを判断し、この場合、判断結果を「Ｙｅｓ」としてステップＳＨ４へ進む。ステップＳＨ４では、タイムスロット設定部８３は、移動体１０A が存在しているエリアがテーブルの中に複数、存在するか否かを判断し、この場合、判断結果を「Ｎｏ」としてステップＳＨ６へ進む。
【０２７９】
ステップＳＨ６では、タイムスロット設定部８３は、ステップＳＨ２で、今回、検索されたエリアと、前回、検索されたエリアとが一致するか否かを判断する。この場合、両者が不一致であるものとすると、タイムスロット設定部８３は、ステップＳＨ６の判断結果を「Ｎｏ」として、ステップＳＨ７へ進む。なお、前回のエリアと今回のエリアとが一致する場合、タイムスロット設定部８３は、ステップＳＨ６の判断結果を「Ｙｅｓ」とし、情報受信部８２に今回のエリアに対応するタイムスロットを新たに設定しない。
【０２８０】
この場合、ステップＳＨ７では、タイムスロット設定部８３は、多重化方式が時分割多重化（ＴＤＭ）方式または符号分割多重化（ＣＤＭ）方式のいずれかであるかを判断する。具体的には、タイムスロット設定部８３は、あらかじめ設定される多重化方式（時分割多重化（ＴＤＭ）方式または符号分割多重化（ＣＤＭ）方式）を確認することにより、ステップＳＨ７の判断を行う。この場合、タイムスロット設定部８３は、多重化方式が時分割多重化（ＴＤＭ）方式であるものとし、ステップＳＨ９へ進む。
【０２８１】
ステップＳＨ９では、タイムスロット設定部８３は、ステップＳＨ２で今回、検索されたエリア＃Ａに対応するタイムスロットＴＳA （図２５参照）を情報受信部８２に設定する。つぎに、ステップＳＨ１０では、情報受信部８２は、アンテナ８１を介して受信した時分割多重化情報ＩTDM から、タイムスロット設定部８３により設定されたタイムスロットＴＳA の地点Ａ向け情報ＩA （図１２参照）を抽出し、これを情報表示部４８へ出力する。
【０２８２】
これにより、情報表示部４８には、地点Ａ向け情報ＩA が表示される。以後、移動体１０A に搭載されている情報受信装置８０では、図２６に示したステップＳＨ１〜ステップＳＨ１０の処理が繰り返し実行される。
【０２８３】
そして、図１２に示した移動中の移動体１０A が図２５に示した重複エリア＃ＡＢに存在すると、ステップＳＨ２では、タイムスロット設定部８３は、自位置算出部４３からの自位置情報ＩＰA をキーとして、上述したテーブル（図示略）から移動体１０A が存在するエリアを検索する。この場合、図２５に示したエリア＃Ａおよびエリア＃Ｂの双方に移動体１０A が存在しているため、タイムスロット設定部８３は、テーブルからエリア＃Ａおよびエリア＃Ｂを検索した後、ステップＳＨ３へ進む。
【０２８４】
ステップＳＨ３では、タイムスロット設定部８３は、判断結果を「Ｙｅｓ」としてステップＳＨ４へ進む。ステップＳＨ４では、タイムスロット設定部８３は、移動体１０A が存在しているエリアがテーブルの中に二つ（この場合、エリア＃Ａおよびエリア＃Ｂ）存在しているため、判断結果を「Ｙｅｓ」としてステップＳＨ５へ進む。
【０２８５】
ステップＳＨ５では、タイムスロット設定部８３は、図２５に示したエリア＃Ａおよびエリア＃Ｂのうち、移動体１０A の自位置とエリア中心との距離が最短のエリアを選択する。この場合、移動体１０A の自位置とエリア＃Ｂのエリア中心ＯB との距離が、同自位置とエリア＃Ａのエリア中心ＯA との距離より短いものとすると、タイムスロット設定部８３は、エリア＃Ｂを選択した後、ステップＳＨ６へ進む。
【０２８６】
ステップＳＨ６では、タイムスロット設定部８３は、ステップＳＨ５で選択されたエリア＃Ｂと、前回のエリア＃Ａとが一致するか否かを判断する。この場合、両者が不一致であるため、タイムスロット設定部８３は、ステップＳＨ６の判断結果を「Ｎｏ」として、ステップＳＨ７へ進む。ステップＳＨ７では、タイムスロット設定部８３は、多重化方式が時分割多重化（ＴＤＭ）方式であるため、ステップＳＨ９へ進む。
【０２８７】
ステップＳＨ９では、タイムスロット設定部８３は、エリア＃Ｂに対応するタイムスロットＴＳB （図２５参照）を情報受信部８２に設定する。つぎに、ステップＳＨ１０では、情報受信部８２は、アンテナ８１を介して受信した時分割多重化情報ＩTDM から、タイムスロット設定部８３により設定されたタイムスロットＴＳB の地点Ｂ向け情報ＩB （図１２参照）を抽出し、これを情報表示部４８へ出力する。これにより、情報表示部４８には、地点Ａ向け情報ＩA に代えて地点Ｂ向け情報ＩB が表示される。
【０２８８】
なお、図１２に示した移動体１０A が図２５に示したエリア＃Ａ〜エリア＃Ｄの外に存在している場合、タイムスロット設定部８３は、ステップＳＨ３の判断結果を「Ｎｏ」として、ステップＳＨ５へ進む。ステップＳＨ５では、タイムスロット設定部８３は、図２５に示したエリア＃Ａ〜エリア＃Ｄのうち、移動体１０A の自位置とエリア中心との距離が最短のエリアを選択する。
【０２８９】
この場合、移動体１０A の自位置とエリア＃Ｂのエリア中心ＯB との距離が最短であるものとすると、タイムスロット設定部８３は、エリア＃Ｂを選択した後、ステップＳＨ６へ進む。以後、上述した動作を経て、エリア外に存在している移動体１０A の情報受信装置８０では、地点Ｂ向け情報ＩB を受信した後、これを表示する。
【０２９０】
なお、上述した実施の形態７においては、符号分割多重化（ＣＤＭ）方式および時分割多重化（ＴＤＭ）方式を採用した例について説明したが、符号分割多元接続（ＣＤＭＡ）方式および時分割多元接続（ＴＤＭＡ）方式を採用してもよい。
【０２９１】
以上本発明にかかる実施の形態１〜７について図面を参照して詳述してきたが、具体的な構成例はこれらの実施の形態１〜７に限られるものではなく、本発明の要旨を逸脱しない範囲の設計変更等があっても本発明に含まれる。前述では、実施の形態１〜７を個別的に実施する例について説明したが、二つ以上の実施の形態を組み合わせてもよい。たとえば、実施の形態３で説明したセンタ５０を用いた構成は、実施の形態３以外の実施の形態に適用してもよい。
【０２９２】
また、実施の形態１〜７では、通信衛星３０と同様の中継機能を備える中継装置を飛行船等の飛翔体に搭載し、この中継装置を介して地表に符号分割多重化情報ＩCDM 、符号分割多元接続情報ＩCDMA、時分割多重化情報ＩTDM または時分割多元接続情報ＩTDMAを地表へ送信するように構成してもよい。また、実施の形態１〜７では、移動体へ提供すべき情報としては、画像情報、文字情報、音声情報等のいかなる情報であってもよい。
【０２９３】
また、実施の形態１〜４および実施の形態７では、移動体へ提供すべき情報に対応付けられたＰＮコードまたはタイムスロットを、位置（地点Ａ位置ＰA 等）またはエリア（エリアＡA 等）に対応付けた例について説明したが、この例に限られることなく、実施の形態５および６で説明したように、位置またはエリア以外の情報（移動体に関連する一切の移動体関連情報（たとえば、移動体の移動速度））とＰＮコード（またはタイムスロット）とを対応付けるようにしてもよい。
【０２９４】
移動体関連情報の具体例としては、つぎの（１）項〜（５）項の情報が挙げられる。
（１）移動体の状態を示す情報
（移動速度、加速度、移動方向、移動距離、燃料量、エンジン回転数等）
（２）移動体で観測可能な情報
（気温、湿度、気圧、振動、照度、紫外線量、騒音量、ＮＯx 量、雨量、
電磁波強度、放射線量等）
（３）移動体の機能に関するオン情報
（ライトオン、ワイパーオン、バックギアオン、サイドブレーキオン、
エアコンオン、オーディオ装置オン、空気清浄機オン等）
（４）移動体が位置する場所の外部環境情報
（高度、傾斜度、路面状態、道路種別（高速道、国道、県道）、
道路番号等）
（５）移動体の搭乗者、運転者に関する情報
（年齢、若者、中高年者、高齢者、性別、職業、住所等）
【０２９５】
【発明の効果】
以上説明したように、請求項１、２にかかる発明によれば、上空の中継装置から多重情報を地表に向けて送信することで、従来のハイウェイラジオ等に比して、極めて広い範囲に亘って情報提供を行うことができ、原理上、送信局の設置数が最低１局で足りるため、コストを下げることができるという効果を奏する。
【０２９６】
また、請求項１、５にかかる発明によれば、抽出情報と移動体の存在し得る位置情報とをあらかじめテーブルにより対応付けるとともに、間接的に、移動体の自位置とコンテンツ情報とを対応付けて、移動体の移動に伴って、抽出されるコンテンツ情報を自動的に変化させるようにしたので、従来のオンデマンド型の情報提供システムに比して、利用者の使い勝手が格段に良くなるため、情報提供サービスの質を向上させることができるという効果を奏する。
【０２９７】
また、請求項２、６にかかる発明によれば、抽出情報と移動体の存在し得るエリア情報とをあらかじめテーブルにより対応付けるとともに、間接的に、移動体の自位置とコンテンツ情報とを対応付けて、移動体の移動に伴って、抽出されるコンテンツ情報を自動的に変化させるようにしたので、従来のオンデマンド型の情報提供システムに比して、利用者の使い勝手が格段に良くなるため、情報提供サービスの質を向上させることができるという効果を奏する。
【０２９８】
また、請求項３にかかる発明によれば、移動体の自位置の情報に対応する位置情報および抽出情報に関する検索機能を一つの検索局に持たせ、テーブルを一つの記憶手段に記憶させるようにしたので、該テーブルのメンテナンスを楽に行うことができるという効果を奏する。
【０２９９】
また、請求項４にかかる発明によれば、移動体の自位置の情報に対応するエリア情報および抽出情報に関する検索機能を一つの検索局に持たせ、テーブルを一つの記憶手段に記憶させるようにしたので、該テーブルのメンテナンスを楽に行うことができるという効果を奏する。
【０３００】
また、請求項５〜８にかかる発明によれば、上空の中継装置から多重情報を地表に向けて送信することで、従来のハイウェイラジオ等に比して、極めて広い範囲に亘って情報提供を行うことができ、原理上、多重情報（コンテンツ情報）を送信する送信局の設置数が最低１局で足りるため、コストを下げることができるという効果を奏する。
【０３０１】
また、請求項７にかかる発明によれば、移動体関連情報と抽出情報とをあらかじめテーブルにより対応付けて、移動体関連情報の変化に伴って、抽出されるコンテンツ情報を自動的に変化させるようにしたので、従来のオンデマンド型の情報提供システムに比して、利用者の使い勝手が格段に良くなるため、情報提供サービスの質を向上させることができるという効果を奏する。
【０３０２】
また、請求項８にかかる発明によれば、移動速度と抽出情報とをあらかじめテーブルにより対応付けて、移動速度の変化に伴って、抽出されるコンテンツ情報を自動的に変化させるようにしたので、従来のオンデマンド型の情報提供システムに比して、利用者の使い勝手が格段に良くなるため、情報提供サービスの質を向上させることができるという効果を奏する。
【０３０３】
また、請求項９にかかる発明によれば、複数のコンテンツ情報を多重化する方式として符号分割多重化方式または時分割多重化方式を採用しているため、符号分割多重化方式または時分割多重化方式の多重原理上、送信局の設置数が１局のみで足りるため、マイクロセル方式を採用していた従来のハイウェイラジオ、ＶＩＣＳ等に比して、飛躍的にコストを下げることができるという効果を奏する。
【０３０４】
また、請求項１０にかかる発明によれば、複数のコンテンツ情報を多重化する方式として符号分割多元接続方式または時分割多元接続方式を採用しているため、符号分割多元接続方式または時分割多元接続方式の多重原理上、送信局の設置数がコンテンツ情報の数に対応する局数で足りるため、マイクロセル方式を採用していた従来のハイウェイラジオ、ＶＩＣＳ等に比して、コストを下げることができるという効果を奏する。
【図面の簡単な説明】
【図１】本発明にかかる実施の形態１の構成を示す図である。
【図２】図１に示した地点Ａおよび地点Ｂを含む地図Ｍを示す図である。
【図３】同実施の形態１で用いられる情報受信装置４０の構成を示すブロック図である。
【図４】同実施の形態１で用いられる位置／ＰＮコードテーブルＴ1 およびエリア／ＰＮコードテーブルＴ2 を示す図である。
【図５】同実施の形態１の動作例１を説明するフローチャートである。
【図６】図３に示した情報表示部４８の表示画面Ｇの一例を示す図である。
【図７】同実施の形態１の動作例２を説明するフローチャートである。
【図８】本発明にかかる実施の形態２の構成を示す図である。
【図９】本発明にかかる実施の形態３の構成を示す図である。
【図１０】同実施の形態３で用いられる情報受信装置６０の構成を示すブロック図である。
【図１１】同実施の形態３の動作を説明するフローチャートである。
【図１２】本発明にかかる実施の形態４の構成を示す図である。
【図１３】同実施の形態４で用いられる情報受信装置８０の構成を示すブロック図である。
【図１４】同実施の形態４におけるタイムスロットＴＳA 〜ＴＳC 、位置／タイムスロットテーブルＴ3 およびエリア／タイムスロットテーブルＴ4 を示す図である。
【図１５】同実施の形態４の動作例１を説明するフローチャートである。
【図１６】同実施の形態４の動作例２を説明するフローチャートである。
【図１７】本発明にかかる実施の形態５の構成を示す図である。
【図１８】同実施の形態５で用いられる情報受信装置９０の構成を示すブロック図である。
【図１９】同実施の形態５で用いられるテーブルＴ5 を示す図である。
【図２０】同実施の形態５の動作を説明するフローチャートである。
【図２１】本発明にかかる実施の形態６の構成を示す図である。
【図２２】同実施の形態６で用いられる情報受信装置１００の構成を示すブロック図である。
【図２３】同実施の形態６で用いられるテーブルＴ6 を示す図である。
【図２４】同実施の形態６の動作を説明するフローチャートである。
【図２５】本発明にかかる実施の形態７を説明する図である。
【図２６】同実施の形態７の動作を説明するフローチャートである。
【符号の説明】
１０A 、１０B 移動体
２０  情報送信局
３０  通信衛星
４０  情報受信装置
４３  自位置算出部
４５  情報受信部
４６  ＰＮコード設定部
４７  記憶部
２０A 〜２０C 情報送信局
５０  センタ
５２  送受信装置
５３  制御装置
５４  記憶装置
６０  情報受信装置
６２  センタ用送受信部
６３  ＰＮコード設定部
８０  情報受信装置
８２  情報受信部
８３  タイムスロット設定部
８４  記憶部
９０  情報受信装置
９１  速度検出部
９２  速度区分検索部
９３  記憶部
９４  タイムスロット設定部
１００  情報受信装置
１０１  記憶部
１０３  情報受信部
１０４  ＰＮコード設定部
【図１】
0004112140.tif 000002
【図２】
0004112140.tif 000003
【図３】
0004112140.tif 000004
【図４】
0004112140.tif 000005
【図５】
0004112140.tif 000006
【図６】
0004112140.tif 000007
【図７】
0004112140.tif 000008
【図８】
0004112140.tif 000009
【図９】
0004112140.tif 000010
【図１０】
0004112140.tif 000011
【図１１】
0004112140.tif 000012
【図１２】
0004112140.tif 000013
【図１３】
0004112140.tif 000014
【図１４】
0004112140.tif 000015
【図１５】
0004112140.tif 000016
【図１６】
0004112140.tif 000017
【図１７】
0004112140.tif 000018
【図１８】
0004112140.tif 000019
【図１９】
0004112140.tif 000020
【図２０】
0004112140.tif 000021
【図２１】
0004112140.tif 000022
【図２２】
0004112140.tif 000023
【図２３】
0004112140.tif 000024
【図２４】
0004112140.tif 000025
【図２５】
0004112140.tif 000026
【図２６】
0004112140.tif 000027